(57)【特許請求の範囲】
【請求項１】
少なくとも１つの第１の導体と、
前記第１の導体から一の距離だけ離隔した位置に配置された少なくとも１つの第２の導体と、
前記第１の導体と前記第２の導体とに所定の直流電圧を印加する電源と、
前記第１の導体と前記第２の導体とによって生じた電界により誘電分極が生ずる位置に配置された誘電体と、を含み、
前記第１の導体と前記第２の導体とによって生じた電界によって、飛動可能な生物を除去することを特徴とする飛動生物除去装置。
【請求項２】
前記第１の導体は、線状又は板状の複数の第１の導電体であり、
前記複数の第１の導電体は、互いに略平行になるように配置され、
前記複数の第１の導電体は、所定の第１の面に沿うように配置され、
前記第２の導体は、線状又は板状の複数の第２の導電体であり、
前記複数の第２の導電体は、互いに略平行になるように配置され、
前記複数の第２の導電体は、所定の第２の面に沿うように配置され、
前記第１の面と前記第２の面とは、前記一の距離だけ離隔した請求項１に記載の飛動生物除去装置。
【請求項３】
前記第１の導体は、導電性の材料によって網目状に形成された第１の導電体であり、
前記第１の導電体は、所定の第１の面に沿うように形成され、
前記第２の導体は、線状又は板状の複数の第２の導電体であり、
前記複数の第２の導電体は、互いに略平行になるように配置され、
前記複数の第２の導電体は、所定の第２の面に沿うように配置され、
前記第１の面と前記第２の面とは、前記一の距離だけ離隔した請求項１に記載の飛動生物除去装置。
【請求項４】
空気が流通できるように互いに向かい合う少なくとも２つの筐体開口が形成され、かつ、前記第１の導体と前記第２の導体とを支持する筐体を含み、
前記第１の面と前記第２の面とが、前記少なくとも２つの筐体開口のうちの少なくとも１つと略平行である請求項２又は３に記載の飛動生物除去装置。
【請求項５】
前記誘電体は、板状の誘電性の複数の誘電板であり、かつ、
前記複数の誘電板は、互いに略平行となるように配置され、
前記複数の誘電板は、前記第１の面及び前記第２の面とは異なる所定の第３の面に沿うように配置され、
前記第３の面は、前記第１の面及び前記第２の面と所定の距離だけ離隔し、
前記複数の誘電板の各々は、前記複数の誘電板の各々の間を空気が通過できるように配置された請求項１ないし４のいずれか１に記載の飛動生物除去装置。
【請求項６】
前記誘電体は、誘電性を有する材料によって網目状に形成された誘電性網体であり、
前記誘電性網体は、前記第１の面及び前記第２の面とは異なる所定の第３の面に沿うように配置され、
前記第３の面は、前記第１の面及び前記第２の面と所定の距離だけ離隔した請求項１ないし４のいずれか１に記載の飛動生物除去装置。
【請求項７】
空気が流通できるように互いに向かい合う少なくとも２つの筐体開口が形成され、かつ、前記第１の導体と前記第２の導体と前記誘電体とを支持する筐体を含み、
前記第１の面と前記第２の面と前記第３の面とが、前記２つの筐体開口のうちの少なくとも一方と略平行である請求項５又は６に記載の飛動生物除去装置。
【請求項８】
前記複数の誘電板の各々は、長手方向に対して垂直な方向に突出する凸曲面を有し、かつ、
前記複数の誘電板の各々は、前記凸曲面が、前記第３の面に対して垂直な方向に向くように配置された請求項５に記載の飛動生物除去装置。
【請求項９】
前記誘電板は、長手方向に対して垂直な方向に沿った断面が略円弧状に形成された請求項５に記載の飛動生物除去装置。
【請求項１０】
前記第１の導体の少なくとも一部が、誘電性の材料によって覆われた請求項１に記載の飛動生物除去装置。
【請求項１１】
前記第１の導体は、誘電性の材料によって少なくとも一部が覆われ、かつ、線状又は板状の複数の誘電被覆導体であり、
前記複数の誘電被覆導体は、互いに略平行になるように配置され、
前記複数の誘電被覆導体は、所定の第４の面を沿うように配置され、
前記第２の導体は、線状又は板状の複数の第２の導電体であり、
前記複数の第２の導電体は、互いに略平行になるように配置され、
前記複数の第２の導電体は、所定の形状を有する第２の面に沿うように配置され、
前記第４の面と前記第２の面とは、前記一の距離だけ離隔した請求項１０に記載の飛動生物除去装置。
【請求項１２】
前記第１の導体は、誘電性の材料によって少なくとも一部が覆われ、かつ、網目状に形成された誘電被覆導体であり、
前記誘電被覆導体は、所定の第４の面に沿うように形成され、
前記第２の導体は、線状又は板状の複数の第２の導電体であり、
前記複数の第２の導電体は、互いに略平行になるように配置され、
前記複数の第２の導電体は、所定の第２の面に沿うように配置され、
前記第４の面と前記第２の面とは、前記一の距離だけ離隔した請求項１０に記載の飛動生物除去装置。
【請求項１３】
空気が流通できるように互いに向かい合う少なくとも２つの筐体開口が形成され、かつ、前記誘電被覆導体と前記第２の導体とを支持する筐体を含み、
前記第４の面と前記第２の面とが、前記２つの筐体開口のうちの少なくとも一方と略平行であり、
前記誘電性の材料は、前記２つの筐体開口のうちの最も近い方に向かうように、前記誘電被覆導体を覆う請求項１１又は１２に記載の飛動生物除去装置。
【請求項１４】
植物が配置される植物配置区域と、
前記植物配置区域を囲む囲繞部と、を含み、
前記囲繞部の少なくとも一部は、可視光を透過させることができ、
前記囲繞部のうち空気が流通可能な箇所に請求項１ないし９のいずれか１に記載の飛動生物除去装置が設けられたことを特徴とする植物保護装置。
【請求項１５】
前記植物配置区域に向かって、前記誘電体、前記第１の導体、及び前記第２の導体の順に並べられている請求項１４に記載の植物保護装置。
【請求項１６】
植物が配置される植物配置区域と、
前記植物配置区域を囲む囲繞部と、を含み、
前記囲繞部の少なくとも一部は、可視光を透過させることができ、
前記囲繞部のうち空気が流通可能な箇所に請求項５又は６に記載の飛動生物除去装置が設けられ、
前記囲繞部には、前記植物配置区域に配置された植物に空気を供給するための少なくとも１つの流通開口が形成され、
前記飛動生物除去装置は、前記少なくとも１つの流通開口を覆うように取り付けられ、
前記第１の面と前記第２の面と前記第３の面とが、略平面であり、
前記第１の面と前記第２の面と前記第３の面とが、前記流通開口と略平行であることを特徴とする植物保護装置。
【請求項１７】
前記複数の誘電板の各々は、長手方向に対して垂直な方向に突出する凸曲面を有し、
前記複数の誘電板の各々は、前記凸曲面が、前記第３の面に対して垂直な方向に向くように配置され、かつ
前記凸曲面が、前記植物配置区域に対して反対方向に向くように配置されている請求項１６に記載の植物保護装置。
【請求項１８】
植物が配置される植物配置区域と、
前記植物配置区域を囲む囲繞部と、を含み、
前記囲繞部の少なくとも一部は、可視光を透過させることができ、
前記囲繞部のうち空気が流通可能な箇所に請求項１０から１３の何れか１に記載の飛動生物除去装置が設けられ、
前記植物配置区域に向かって、前記誘電被覆導体、及び前記第２の導体の順に並べられていることを特徴とする植物保護装置。
【請求項１９】
前記囲繞部には、前記植物配置区域に配置された植物に空気を供給するための少なくとも１つの流通開口が形成され、
前記飛動生物除去装置は、前記少なくとも１つの流通開口を覆うように取り付けられ、
前記第４の面と前記第２の面が、略平面であり、
前記第４の面と前記第２の面とが、前記流通開口と略平行である請求項１８に記載の植物保護装置。
【発明の詳細な説明】
【技術分野】
【０００１】
本発明は、植物病原菌の胞子等及び／又は小害虫等の飛動可能な生物に静電界を印加するものであり、静電界を印加することにより飛動可能な生物を移動させにくくしたり、死滅させたりすることによって、飛動可能な生物を除去して、植物の病虫害の発生を防止する飛動生物除去装置及び植物保護装置に関する。
【背景技術】
【０００２】
農園芸植物の栽培においては、病害や虫害の発生を防止する目的で多くの殺菌剤や殺虫剤が使用されている。農園芸植物の施設栽培において一旦施設内に病原菌の胞子等や害虫が侵入すると、施設全体に病害や虫害が蔓延する可能性が非常に高い。このため、病虫害が発生する前に薬剤を散布することにより、このリスクを回避している。しかし、特に施設栽培において近年病原菌の薬剤耐性獲得および害虫の薬剤抵抗性獲得が問題となってきており、薬剤散布のみで植物病虫害の発生を完全に抑制することは、現在困難である。
【０００３】
植物病原菌（主にカビ）による病害の多くが風媒感染によって発生する。カビの主な伝染源は胞子であり、多くの種類が風により飛散する。
【０００４】
空気中の細菌、胞子および花粉を除去するものとして空気清浄機がある。この空気清浄機には、フィルターによるもの及び／又は電気集塵式により細菌、胞子および花粉等を除去するものが知られている。
【０００５】
フィルターによるものは除去するものよりも細かい穴を有していないと効力がなく、また目詰まりを起こすため長期間の稼動が困難である。
【０００６】
フィルターの捕集効果を増大させるものとして、２枚の金属電極とこれと平行して設置してあるプラスティック製立体網目スクリーンとを用いる静電誘導集塵装置が報告されている（例えば、特許文献１参照）。
【０００７】
さらに、金属線に高電圧をかけるワイヤ放電式と針先に高電圧をかけるニードル放電式との電気集塵装置が知られている（例えば、特許文献２、特許文献３、特許文献４等参照）。これらはともにコロナ放電により胞子および花粉等を帯電させ、捕集電極により吸着させることにより、細菌、胞子および花粉等を除去するものである。
【０００８】
植物害虫（主に昆虫）の多くは飛来して植物を加害するか、もしくは飛来して植物に産卵し、そして孵化したその幼虫が植物を加害する。
【０００９】
飛来する害虫を高電圧で電殺するものとして電撃殺虫器がある。市販されている一般的な電撃殺虫器は電極間に飛来した虫をアーク放電で感電死させることが知られている（例えば、特許文献５，６参照）。
【００１０】
また、夜間に誘蛾灯を田園に点灯し同時に網状に張った電線にプラス及びマイナスの高い周波数の高電圧を流し害虫を放電焼殺して駆除する方法などが報告されている（例えば、特許文献７，８参照）。
【００１１】
現在市販されている電撃殺虫器は、入力電源としてＡＣ１００Ｖを使用しており、プラスとマイナスの電圧が交互に通電するため、瞬間的な低電圧時に小害虫が入ってきた場合に通過を許す場合がある。
【００１２】
電撃殺虫器の電殺対象としている昆虫は大きいものから小さいものまで、その大きさは様々である。電極の間隔を狭くすると、放電は起こりやすい一方、大きな昆虫の残骸等が電極間に挟まる等して装置が故障する可能性がある。また、電極の間隔を広くすると、放電が起こりにくくなり、小さな昆虫を電殺するためには、電圧を高くする必要がある。
【特許文献１】特開昭５２−１２０４７３号公報
【特許文献２】特開平１０−１３７６２８号公報
【特許文献３】特開２０００−１８９８３５号公報
【特許文献４】特開２００３−２１１０２４号公報
【特許文献５】特開昭５２−８８１７５号公報
【特許文献６】特開平０１−６５６８２号公報
【特許文献７】特開昭５９−２１３３４７号公報
【特許文献８】特開平０６−１５３７５３号公報
【発明の開示】
【発明が解決しようとする課題】
【００１３】
本発明は、上述の点に鑑みてなされたものであり、その目的とするところは、植物病虫害の発生原因となる植物病原菌の胞子又は菌体や小害虫等の飛動可能な生物に静電界による力を与えることで捕捉して除去したり、その除去を免れた場合であっても、飛動可能な生物に対して放電することで死滅させたりして、植物病虫害の発生を防止する飛動生物除去装置及び植物保護装置を提供することにある。
【課題を解決するための手段】
【００１４】
以上のような目的を達成するために、本発明においては、飛動可能な生物に対して静電界を印加する。
【００１５】
具体的には、本発明に係る飛動生物除去装置は、
少なくとも１つの第１の導体と、
前記第１の導体から一の距離だけ離隔した位置に配置された少なくとも１つの第２の導体と、
前記第１の導体と前記第２の導体とに所定の直流電圧を印加する電源と、を含み、
前記第１の導体と前記第２の導体とによって生じた電界によって、飛動可能な生物を除去することを特徴とする。
【００１６】
本発明に係る飛動生物除去装置は、第１の導体と、第２の導体と、電源とを含む。
【００１７】
第１の導体と第２の導体とは、少なくとも１つずつあればよい。また、第１の導体と第２の導体とが複数ある場合には、第１の導体と第２の導体とを交互に配置したりすることができる。第２の導体は、第１の導体の位置を基準にして、第１の導体の位置から一の距離だけ離隔した位置に配置されている。
【００１８】
電源は、第１の導体と第２の導体とに電気的に接続されており、第１の導体と第２の導体とに直流電圧を印加することができる。第１の導体と第２の導体とに所定の直流電圧を印加できればよく、第１の導体と第２の導体とのうちのいずれか一方が、接地されていてもよい。第１の導体と第２の導体とにの間に直流電圧を印加することによって、大きさや向きが時間的に変化しない一定の電界を生じさせることができる。このようにすることで、電界を常に生じさせることができるので、飛動可能な生物を的確に除去することができる。
【００１９】
上述したように、第１の導体と第２の導体とに直流電圧が印加されたときには、大きさや向きが時間的に変化しない一定の電界が生ずる。第１の導体と第２の導体との間をなす「一の距離」は、第１の導体と第２の導体とのみが存在するときには、放電は生じないが、第１の導体と第２の導体との間に飛動可能な生物が存在したときには、飛動可能な生物を介して放電が生ずるようにするのが好ましい。このようにすることで、第１の導体と第２の導体との間に飛動可能な生物が存在したときのみ放電を生じさせて、放電によって飛動可能な生物を除去することができる。
【００２０】
また、第１の導体と第２の導体とによって生ずる電界の強さが位置によって異なるように、第１の導体と第２の導体とを配置するのが好ましい。例えば、第１の導体と第２の導体とによって、面積が広い平行平板コンデンサーが構成されないように、第１の導体と第２の導体との形状や配置を定めればよい。このように、電界の強度が位置によって異なる電界（不平等電界、不均一場）を生じさせることによって、飛動可能な生物が帯電している場合には、飛動可能な生物にクーロン力を及ぼすことができ、飛動可能な生物が電気的に中性である場合には、飛動可能な生物に静電誘導を生じさせてグレーディエント力を及ぼすことができる。このような電界を生じさせることで、クーロン力やグレーディエント力を飛動可能な生物に及ぼして、飛動可能な生物を移動させにくくすることができる。このようにすることで、上述した放電を生じさせる機会を増やすことができ、飛動可能な生物を的確に除去することができる。
【００２１】
本発明に係る飛動生物除去装置は、
前記第１の導体が、線状又は板状の複数の第１の導電体であり、
前記複数の第１の導電体は、互いに略平行になるように配置され、
前記複数の第１の導電体は、所定の有する第１の面に沿うように配置され、
前記第２の導体が、線状又は板状の複数の第２の導電体であり、
前記複数の第２の導電体は、互いに略平行になるように配置され、
前記複数の第２の導電体は、所定の有する第２の面に沿うように配置され、
前記第１の面と前記第２の面とは、前記一の距離だけ離隔したものが好ましい。
【００２２】
上述した第１の導体は、線状又は板状の形状を有する第１の導電体である。この第１の導電体は、複数のものからなる。これらの複数の第１の導電体は、互いに略平行になるように配置されている。複数の第１の導電体は、直線状、又は長方形状の形状である必要はなく、一定の形状で配置されていればよい。複数の第１の導電体は、互いに、平行移動した位置に配置されていればよい。
【００２３】
これらの複数の第１の導電体の間隔は、植物の種類や除去する飛動生物の種類に応じて、飛動生物除去装置を介して空気が供給される植物に対して、十分に空気を流通させることができる程度に定めればよい。さらに、これらの複数の第１の導電体の間隔は、飛動生物除去装置を介して空気が供給される植物に対して、複数の第１の導電体が影とならず、光が当たる程度に、植物の種類や、除去する飛動生物の種類に応じて適宜定めるのが好ましい。
【００２４】
さらに、複数の第１の導電体は、第１の面に沿うように配置されている。第１の面は、仮想的な面であり、複数の第１の導電体の全体の形状を特徴付ける仮想的な面である。具体的には、まず、複数の第１の導電体の各々の形状を、１本の線の形状によって特定する。これは、導電体の長手方向に垂直な面における導電体の中心を定め、この中心を導電体の長手方向に沿って結ぶことによって、１本の線を定めることができる。このようにして、複数の第１の導電体の各々を特徴付ける線を、１本ずつ決定できる。なお、複数の第１の導電体の各々の形状を特徴付けるための線の形状は、第１の導電体を示す厳密な形状である必要はなく、複数の第１の導電体の各々の全体の概略を示すことができる平均的な形状であればよい。
【００２５】
次いで、複数の第１の導電体の各々の形状を特徴付けるための線が、おおよそ含まれるような１つの面を特定することによって、第１の面を定めることができる。なお、この第１の面の特定も、これらの線の全てが常に含まれるような厳密な面を想定する必要はなく、おおよそ含まれる１つの面を第１の面とすればよい。
【００２６】
例えば、複数の第１の導電体の各々が直線状の導線で構成され、かつ、これらの導線が互いに平行になるように並置されている場合には、複数の第１の導電体の各々は、直線によって特定することができる。さらに、複数の第１の導電体は、互いに平行に並置されているので、これらの直線が含まれる面は、１つの平面であり、第１の面は、この１つの平面となる。
【００２７】
上述した第１の面の形状は、例えば、平面や球面等の一定の形状に画定できるものであればよく、飛動生物除去装置が設置される箇所の形状等に応じて適宜定めればよい。複数の第１の導電体は、第１の面におおよそ沿うように配置されていればよい。
【００２８】
上述した第２の導体は、線状又は板状の形状を有する第２の導電体である。この第２の導電体は、複数のものからなる。これらの複数の第２の導電体は、互いに略平行になるように配置されている。複数の第２の導電体は、直線状、又は長方形状の形状である必要はなく、一定の形状で配置されていればよい。複数の第２の導電体は、互いに、平行移動した位置に配置されていればよい。さらに、複数の第２の導電体は、第２の面に沿うように配置されている。この第２の面も上述した第１の面と同様に、仮想的な面であり、複数の第２の導電体の全体の形状を特徴付ける仮想的な面である。第２の面も、上述した第１の面と同様の手法によって特定すればよい。
【００２９】
第２の面の形状は、例えば、平面や球面等の一定の形状に画定できるものであればよく、飛動生物除去装置が設置される箇所の形状等に応じて適宜定めればよい。複数の第２の導電体は、第２の面におおよそ沿うように配置されていればよい。
【００３０】
上述した構成により、第１の導体は、線状又は板状の形状を有し、第２の導体も、線状又は板状の形状を有する。このようにすることで、第１の導体と第２の導体の双方が、線状である場合、第１の導体が線状で、第２の導体が板状である場合、第１の導体が板状で、第２の導体が線状である場合、第１の導体と第２の導体との双方が、板状である場合の４通りの場合がある。
【００３１】
特に、第１の導体と第２の導体の双方が、線状である場合と、第１の導体が線状で、第２の導体が板状である場合と、第１の導体が板状で、第２の導体が線状である場合と、の３つの場合には、これらの第１の導体と第２の導体とによって、強度が位置によって異なるような電界（不平等電界、不均一場）を生じさせることができる。このような不平等電界や不均一場によって、飛動可能な生物が帯電している場合には、飛動可能な生物にクーロン力を及ぼすことができ、飛動可能な生物が電気的に中性である場合には、飛動可能な生物に静電誘導を生じさせてグレーディエント力を及ぼすことができる。このような電界を生じさせることで、クーロン力やグレーディエント力を飛動可能な生物に及ぼして、飛動可能な生物を移動させにくくすることができる。このようにすることで、上述した放電を生じさせる機会を増やすことができ、飛動可能な生物を的確に除去することができる。
【００３２】
また、第１の導体と第２の導体との双方が、板状である場合には、第１の導体と第２の導体とが、互いに平行にならないように配置したり、第１の導体と第２の導体とを平行に配置したときでも、向かい合う面の面積が互いに異なるように配置することで、第１の導体と第２の導体とによって、不平等電界や不均一場を生成することができる。このようにすることで、飛動可能な生物に対して放電を生じさせる機会を増やすことができ、飛動可能な生物を的確に除去することができる。
【００３３】
第１の導体や第２の導体の断面形状によって、第１の導体や第２の導体が線状であるか板状であるかを定めればよい。特に、第１の導体や第２の導体が、長尺な形状である場合には、第１の導体や第２の導体の長手方向に対して垂直な方向の断面で、線状であるか板状であるかを定めることができる。また、第１の導体や第２の導体が板状の形状であるときには、空気の流れの向きに略平行となるように配置して、空気の流通を妨げないようにするのが好ましい。
【００３４】
第１の面と第２の面とは、一の距離だけ離隔した位置に配置されている。特に、第１の面と第２の面との双方が平面形状である場合には、第１の面と第２の面とが略平行になるように配置されるのが好ましい。
【００３５】
なお、平行になるのは、第１の面と第２の面との関係だけであり、複数の第１の導電体と複数の第２の導電体とが平行になる必要はない。例えば、複数の第１の導電体の長手方向が水平方向であり、複数の第２の導電体の長手方向が垂直方向となるようにしても、第１の面と第２の面とが略平行であればよい。また、複数の第１の導電体の長手方向や、複数の第２の導電体の長手方向は、第１の面と第２の面とが略平行であるようにすれば、いずれの方向を向いていてもよい。
【００３６】
このようにすることで、第１の導体や第２の導体とから生成される電界の領域を広げることができ、飛動可能な生物に的確に電界による力を与えたり、飛動可能な生物に的確に放電を起こさせたりして、飛動可能な生物を除去することができる。
【００３７】
本発明に係る飛動生物除去装置は、
前記第１の導体は、導電性の材料によって網目状に形成された第１の導電体であり、
前記第１の導電体は、所定の第１の面に沿うように形成され、
前記第２の導体は、線状又は板状の複数の第２の導電体であり、
前記複数の第２の導電体は、互いに略平行になるように配置され、
前記複数の第２の導電体は、所定の第２の面に沿うように配置され、
前記第１の面と前記第２の面とは、前記一の距離だけ離隔したものが好ましい。
【００３８】
上述した第１の導体は、導電性の材料によって網目状に形成された第１の導電体である。網目は、導電性の線材を編んだり折り曲げたりすることで形成されたり、第１の導電体の全体又は一部が、導電性の材料によって、例えば板状のものに孔を形成することによって一体的に形成され、最終的に網目状と視認できるように形成されたものであればよい。１つの網目の大きさは、飛動可能な生物の種類等に応じて定めればよい。また、全ての網目の大きさが同じである必要もない。網目の形状は、略四角形や略ひし形等のものが好ましいが、その他の多角形でもよい。
【００３９】
第１の導電体は、第１の面に沿うように配置されている。第１の面は、仮想的な面であり、第１の導電体の全体の形状を特徴付ける仮想的な面である。この第１の面は、第１の導電体を示す厳密な形状である必要はなく、第１の導電体の全体の概略を示すことができる平均的な形状であればよい。第１の面の形状は、例えば、平面や球面等の一定の形状に画定できるものであればよく、飛動生物除去装置が設置される箇所の形状等に応じて適宜定めればよい。第１の導電体は、第１の面におおよそ沿うように配置されていればよい。
【００４０】
上述した第２の導体は、線状又は板状の形状を有する第２の導電体である。この第２の導電体は、複数のものからなる。これらの複数の第２の導電体は、互いに略平行になるように配置されている。複数の第２の導電体は、直線状、又は長方形状の形状である必要はなく、一定の形状で配置されていればよい。複数の第２の導電体は、互いに、平行移動した位置に配置されていればよい。さらに、複数の第２の導電体は、第２の面に沿うように配置されている。この第２の面も上述した第１の面と同様に、仮想的な面であり、複数の第２の導電体の全体の形状を特徴付ける仮想的な面である。第２の面も、上述した第１の面と同様の手法によって特定すればよい。
【００４１】
第２の面の形状は、例えば、平面や球面等の一定の形状に画定できるものであればよく、飛動生物除去装置が設置される箇所の形状等に応じて適宜定めればよい。複数の第２の導電体は、第２の面におおよそ沿うように配置されていればよい。
【００４２】
第１の面と第２の面とは、一の距離だけ離隔した位置に配置されている。特に、第１の面と第２の面との双方が平面形状である場合には、第１の面と第２の面とが略平行になるように配置されるのが好ましい。
【００４３】
このように、第１の導体を網目状の第１の導電体とすることにより、強度が位置によって異なるような電界（不平等電界、不均一場）をより容易に生じさせることができる。このような不平等電界や不均一場によって、クーロン力やグレーディエント力を飛動可能な生物に及ぼして、放電を生じさせる機会を増やすことができ、飛動可能な生物を的確に除去することができる。
【００４４】
また、第１の導体を網目状の第１の導電体とすることにより、空気の流れを乱したり、うずを生じさせたりすることができる。空気の流れを乱したりすることによって、上述した第１の導体と第２の導体によって生じた電界が有効に存在する領域に飛動可能な生物を存在させる機会を増やすことができ、的確に飛動可能な生物を除去することができる。
【００４５】
なお、上述した飛動生物除去装置は、第１の導体が、網目状に形成された第１の導電体であり、第２の導体が、線状又は板状の複数の第２の導電体である場合を示したが、第１の導体が、線状又は板状の複数の第１の導電体であり、第２の導体が、網目状に形成された第２の導電体でもよい。
【００４６】
本発明に係る飛動生物除去装置は、
空気が流通できるように互いに向かい合う少なくとも２つの筐体開口が形成され、かつ、前記第１の導体と前記第２の導体とを支持する筐体を含み、
前記第１の面と前記第２の面とが、前記少なくとも２つの筐体開口のうちの少なくとも１つと略平行であるものが好ましい。
【００４７】
本発明に係る飛動生物除去装置は、筐体を含む。この筐体は、少なくとも２つの筐体開口が形成されている。この少なくとも２つの筐体開口は、空気が流通できるように形成されたものであり、互いに向かい合うように形成されている。特に、互いに略平行になるように２つの筐体開口が形成されているものが好ましい。また、上述した第１の導体と第２の導体は、筐体によって支持される。このようにすることで、第１の導体と第２の導体とは、少なくとも２つの筐体開口の間に配置される。
【００４８】
さらに、上述した第１の面と第２の面とは、少なくとも２つの筐体開口のうちの少なくとも１つの筐体開口と、略平行となる。なお、筐体開口と略平行とは、筐体開口の縁部によって画定できる面と、筐体開口とが、略平行になることをいう。
【００４９】
このようにすることで、少なくとも２つの筐体開口に亘って流通する空気の流れに乗って動く飛動生物に対して放電を生じさせて、飛動生物を的確に除去することができる。
前記第１の導体と前記第２の導体とによって生じた電界により誘電分極が生ずる位置に配置された誘電体を含むものが好ましい。
【００５０】
誘電体は、第１の導体と前記第２の導体とによって生じた電界により、誘電体内部に誘電分極が生ずる位置に配置されている。このようにすることで、誘電体の誘電分極によって、電界を生じさせることができ、この電界も、飛動可能な生物に力を及ぼすことができる。
【００５１】
特に、誘電体は、誘電体の誘電分極によって生ずる電界の強さが位置によって異なるような形状とするとともに、配置するのが好ましい。このように、電界の強度が位置によって異なる電界（不平等電界、不均一場）を生じさせることによって、飛動可能な生物が帯電している場合には、飛動可能な生物にクーロン力を及ぼすことができ、飛動可能な生物が電気的に中性である場合には、飛動可能な生物に静電誘導を生じさせてグレーディエント力を及ぼすことができる。このような電界を生じさせることで、クーロン力やグレーディエント力を飛動可能な生物に及ぼして、飛動可能な生物を移動させにくくすることができる。このようにすることで、誘電体の誘電分極によって生ずる電界によって、飛動可能な生物を的確に捕捉することができる。
【００５２】
また、飛動生物除去装置を介して空気が供給される植物に向かって、誘電体、第１の導体及び第２の導体の順に配置するのが好ましい。このように配置することで、まず、誘電体の誘電分極によって生じた電界による力を、飛動可能な生物に与えて移動させにくくすることができ、飛動可能な生物を捕捉することができる。さらに、誘電体の誘電分極によって生じた電界によって、飛動可能な生物を捕捉できなかった場合であっても、第１の導体や第２の導体とから生じた電界によって、飛動可能な生物に対して放電を起こして、飛動可能な生物を死滅させることができるので、飛動可能な生物の除去を確実にすることができる。
【００５３】
また、誘電体は、少なくとも１つあればよい。複数の誘電体を設けたときには、上述した第１の導体及び第２の導体と、誘電体との配置は、除去すべき飛動可能な生物の種類や、飛動生物除去装置によって保護すべき植物の種類等に応じて適宜組み合わせたり変更したりすることができる。
【００５４】
本発明に係る飛動生物除去装置は、
前記誘電体が、板状の誘電性の複数の誘電板であり、かつ、
前記複数の誘電板は、互いに略平行となるように配置され、
前記複数の誘電板は、前記第１の面及び前記第２の面とは異なる所定の第３の面に沿うように配置され、
前記第３の面は、前記第１の面及び前記第２の面と所定の距離だけ離隔し、
前記複数の誘電板の各々は、前記複数の誘電板の各々の間を空気が通過できるように配置されたものが好ましい。
【００５５】
誘電体は、板状の形状を有する誘電板である。板状の形状は、平坦な形状でも、湾曲した形状でも含まれる。例えば、円筒形状のものも厚さに拘らず板状の形状に含まれる。このように、板状の形状にすることで、誘電板を軽くすることができ、飛動生物除去装置の取り扱いを容易にすることができる。また、誘電板の形状は、その全体が板状であればよく、誘電板の表面に凹凸等が形成されていてもよい。例えば、誘電板の表面に、溝が形成されたり、凹みが形成されたりしてもよい。
【００５６】
この誘電板は、誘電性を有し、複数のものからなる。これらの複数の誘電板は、互いに略平行となるように、かつ、第３の面に沿うように配置されている。複数の誘電板は、隣合うものが所定の間隔を有して、互いに平行になるように配置されているものが好ましい。この所定の間隔は、飛動生物除去装置を介して空気を供給すべき植物に対して、十分に空気を流通させることができるように定めればよい。例えば、空気を供給すべき植物の種類に応じて、隣り合う誘電板の間隔を定めればよい。
【００５７】
上述した第３の面は、仮想的な面であり、上述した第１の面や第２の面とは異なる位置にある。第３の面は、複数の誘電板の全体の形状を特徴付ける仮想的な面である。具体的には、まず、複数の誘電板の各々の形状を、１本の線の形状によって特定する。これは、誘電板の長手方向に垂直な面における誘電板の中心を定め、この中心を誘電板の長手方向に沿って結ぶことによって、１本の線を定めることができる。このようにして、複数の誘電板の各々を特徴付ける線を、１本ずつ決定できる。なお、複数の誘電板の各々の形状を特徴付けるための線の形状は、誘電板を示す厳密な形状である必要はなく、複数の誘電板の各々の全体の概略を示すことができる平均的な形状であればよい。
【００５８】
次いで、複数の誘電板の各々の形状を特徴付けるための線が含まれるような１つの面を特定することによって、第３の面を定めることができる。なお、この第３の面の特定も、これらの線の全てが常に含まれるような厳密な面を想定する必要はなく、おおよそ含まれる１つの面を第３の面とすればよい。
【００５９】
さらに、第３の面は、第１の面や第２の面から所定の距離だけ離隔した位置に配置される。複数の誘電板が、飛動生物除去装置を介して空気が供給される植物に対して、影を作らないように、複数の誘電板の各々の形状を定めたり、複数の誘電板を配置したりするのが好ましい。すなわち、複数の誘電板が、植物に対して光を遮らないように、複数の誘電板の形状を定めて配置するのが好ましい。また、複数の誘電板の各々は、複数の誘電板の各々の間を空気が通過できるように配置されている。この複数の誘電板の各々の間隔は、飛動生物除去装置を介して空気が供給される植物に対して、十分に空気を供給できる程度にすればよい。
【００６０】
特に、第１の面と第２の面と第３の面とが平面形状である場合には、第１の面と第２の面と第３の面とが、略平行になるように配置されるのが好ましい。なお、平行になるのは、第１の面と第２の面と第３の面との関係だけであり、複数の第１の導電体と第２の導電体と複数の誘電板と全てが平行になる必要はない。例えば、複数の第１の導電体の長手方向が水平方向であり、複数の誘電板の長手方向が垂直方向となるようにしても、第１の面と第３の面とが略平行であればよい。また、複数の第１の導電体の長手方向や、複数の誘電板の長手方向は、第１の面と第３の面とが略平行であるようにすれば、いずれの方向を向いていてもよい。
【００６１】
本発明に係る飛動生物除去装置は、
前記誘電体が、誘電性を有する材料によって網目状に形成された誘電性網体であり、
前記誘電性網体が、前記第１の面及び前記第２の面とは異なる所定の第３の面に沿うように配置され、
前記第３の面が、前記第１の面及び前記第２の面と所定の距離だけ離隔したものが好ましい。
【００６２】
上述した誘電体は、誘電性を有する材料によって網目状に形成された誘電性網体である。網目は、誘電性の線材を編んだり折り曲げたりすることで形成されたり、誘電性網体の全体又は一部が、誘電性の材料によって、例えば板状のものに孔を形成することによって一体的に形成され、最終的に網目状と視認できるように形成されたものであればよい。１つの網目の大きさは、飛動可能な生物の種類等に応じて定めればよい。また、全ての網目の大きさが同じである必要もない。網目の形状は、略四角形や略ひし形等のものが好ましいが、その他の多角形等の形状でもよい。
【００６３】
誘電性網体は、第３の面に沿うように配置されている。すなわち、誘電性網体の全体によって、第３の面が確定される。第３の面は、仮想的な面であり、上述した第１の面や第２の面とは異なる面である。また、第３の面は、第１の面や第２の面から所定の距離だけ離隔するように配置されている。なお、第３の面と第１の面と距離が、第３の面と第２の面との距離とが同じである必要はなく、第３の面が、第１の面や第２の面から離隔して配置されればよい。
【００６４】
このようにすることで、誘電性網体の誘電分極によって生ずる電界の強さが位置によって異なるような形状とするとともに、配置するのが好ましい。このように、電界の強度が位置によって異なる電界（不平等電界、不均一場）を生じさせることによって、飛動可能な生物が帯電している場合には、飛動可能な生物にクーロン力を及ぼすことができ、飛動可能な生物が電気的に中性である場合には、飛動可能な生物に静電誘導を生じさせてグレーディエント力を及ぼすことができる。このような電界を生じさせることで、クーロン力やグレーディエント力を飛動可能な生物に及ぼして、飛動可能な生物を移動させにくくすることができる。このようにすることで、誘電性網体の誘電分極によって生ずる電界によって、飛動可能な生物を的確に捕捉することができる。
【００６５】
さらに、誘電性網体の網目の大きさを適宜定めることで、飛動生物よりも大きい物体、例えば、植物の葉やゴミなどの移動を誘電性網体によって阻止することができ、物体が第１の導体や第２の導体と接触しないように排除することができる。
【００６６】
本発明に係る飛動生物除去装置は、
空気が流通できるように互いに向かい合う少なくとも２つの筐体開口が形成され、かつ、前記第１の導体と前記第２の導体と前記誘電体とを支持する筐体を含み、
前記第１の面と前記第２の面と前記第３の面とが、前記２つの筐体開口のうちの少なくとも一方と略平行であるものが好ましい。
【００６７】
本発明に係る飛動生物除去装置は、筐体を含む。この筐体は、少なくとも２つの筐体開口が形成されている。この少なくとも２つの筐体開口は、空気が流通できるように形成されたものであり、互いに向かい合うように形成されている。特に、互いに略平行になるように２つの筐体開口が形成されているものが好ましい。また、上述した第１の導体と第２の導体と誘電体とは、筐体によって支持される。このようにすることで、第１の導体と第２の導体と誘電体とは、少なくとも２つの筐体開口の間に配置される。
【００６８】
さらに、上述した第１の面と第２の面と第３の面は、少なくとも２つの筐体開口のうちの少なくとも１つの筐体開口と、略平行となる。なお、筐体開口と略平行とは、筐体開口の縁部によって画定できる面と、筐体開口とが、略平行になることをいう。
【００６９】
このようにすることで、少なくとも２つの筐体開口に亘って流通する空気の流れに乗って動く飛動生物に対して放電を生じさせて、飛動生物を的確に除去することができる。
【００７０】
本発明に係る飛動生物除去装置は、
前記複数の誘電板の各々は、長手方向に対して垂直な方向に突出する凸曲面を有し、かつ、
前記複数の誘電板の各々は、前記凸曲面が、前記第３の面に対して垂直な方向に向くように配置されたものが好ましい。
【００７１】
複数の誘電板の各々は、長手方向に対して垂直な方向に突出する凸曲面を有する。複数の誘電板は、上述したように、板状の形状を有して、長手方向を定めることができればよく、必ずしも長尺な形状である必要はない。長手方向は、誘電板の最も長めに形成された方向を示す。凸曲面は、突出するように形成され、その外形が曲面によって形成されていればよい。複数の誘電板の各々は、凸曲面が、上述した第３の面に対して垂直な方向に向くように配置されている。
【００７２】
このように、複数の誘電板の各々を凸曲面を有する形状としたことで、強さが位置によって異なる電界（不平等電界、不均一場）を、複数の誘電板の誘電分極によって生じさせることができる。このような電界を生じさせることによって、飛動可能な生物が帯電している場合には、飛動可能な生物にクーロン力を及ぼすことができ、飛動可能な生物が電気的に中性である場合には、飛動可能な生物に静電誘導を生じさせてグレーディエント力を及ぼすことができる。このような電界を生じさせることで、クーロン力やグレーディエント力を飛動可能な生物に及ぼして、飛動可能な生物を移動させにくくすることができる。このようにすることで、誘電体の誘電分極によって生ずる電界によって、飛動可能な生物を的確に捕捉することができる。
【００７３】
また、複数の誘電板の各々を凸曲面を有する形状としたことで、飛動生物除去装置を介して空気を植物に供給するときに、その空気の流れを曲げたり、空気を回転させたり、うずを生じさせたりすることができる。空気の流れを曲げたり、空気の流れに回転成分を与えたりすることによって、上述した第１の導体と第２の導体によって生じた電界や、誘電体の誘電分極によって生じた電界が有効に存在する領域に飛動可能な生物を存在させる機会を増やすことができ、的確に飛動可能な生物を捕捉したり除去したりすることができる。また、第１の導体と第２の導体や、誘電体を大きくすることなく、電界が有効に存在する領域に飛動可能な生物を存在させる機会を増やすことができるので、装置を薄くしたり、小型化したりすることができる。
【００７４】
前記誘電板は、長手方向に対して垂直な方向に沿った断面が略円弧状に形成されたものが好ましい。さらに、長手方向に対して垂直な方向に沿った断面が略半円が好ましい。すなわち、誘電板を半円筒形状にするのが好ましい。このようにすることで、誘電板の加工を容易にしたり、配置を容易にしたりすることができる。
【００７５】
本発明に係る飛動生物除去装置は、
前記第１の導体、又は前記複数の第２の導体のうちの一方の少なくとも一部が、誘電性の材料によって覆われたものが好ましい。
【００７６】
第１の導体又は第２の導体のうちの一方が、誘電性の材料によって覆われている。導体の全てが誘電性の材料によって覆われている必要はなく、少なくとも一部が誘電性の材料によって覆われていればよい。第１の導体又は第２の導体を誘電性の材料によって覆う態様は、例えば、円筒状に形成された誘電体によって、第１の導体や第２の導体を覆うようなものや、半円筒形状の誘電体によって、第１の導体や第２の導体を覆うようなものがある。
【００７７】
このようにすることで、第１の導体や第２の導体と別個に誘電体を単独で配置する必要がなくなり、誘電体と導体とを一体に取り扱うことができるので、飛動生物除去装置の組み立てや取り扱いを容易にすることができる。
【００７８】
本発明に係る飛動生物除去装置は、
前記第１の導体は、誘電性の材料によって少なくとも一部が覆われ、線状又は板状の複数の誘電被覆導体であり、
前記複数の誘電被覆導体は、互いに略平行になるように配置され、
前記複数の誘電被覆導体は、所定の第４の面を沿うように配置され、
前記第２の導体は、線状又は板状の複数の第２の導電体であり、
前記複数の第２の導電体は、互いに略平行になるように配置され、
前記複数の第２の導電体は、所定の形状を有する第２の面に沿うように配置され、
前記第４の面と前記第２の面とは、前記一の距離だけ離隔したものが好ましい。
【００７９】
上述した第１の導体は、誘電性の材料によって少なくとも一部が覆われ、これを誘電被覆導体という。この誘電被覆導体は、複数あり、線状又は板状の形状を有する。これらの複数の誘電被覆導体は、互いに略平行になるように配置されている。複数の誘電被覆導体は、直線状、又は長方形状の形状である必要はなく、一定の形状で配置されていればよい。複数の誘電被覆導体は、互いに、平行移動した位置に配置されていればよい。
【００８０】
これらの複数の誘電被覆導体の間隔は、植物の種類や除去する飛動生物の種類に応じて、飛動生物除去装置を介して空気が供給される植物に対して、十分に空気を流通させることができる程度に定めればよい。さらに、これらの複数の誘電被覆導体の間隔は、飛動生物除去装置を介して空気が供給される植物に対して、複数の誘電被覆導体が影とならず、光が当たる程度に、植物の種類や、除去する飛動生物の種類に応じて適宜定めるのが好ましい。
【００８１】
さらに、複数の誘電被覆導体は、第４の面に沿うように配置されている。第４の面は、仮想的な面であり、複数の誘電被覆導体の全体の形状を特徴付ける仮想的な面である。具体的には、まず、複数の誘電被覆導体の各々の形状を、１本の線の形状によって特定する。これは、誘電被覆導体の長手方向に垂直な面における誘電被覆導体の中心を定め、この中心を誘電被覆導体の長手方向に沿って結ぶことによって、１本の線を定めることができる。このようにして、複数の誘電被覆導体の各々を特徴付ける線を、１本ずつ決定できる。なお、複数の誘電被覆導体の各々の形状を特徴付けるための線の形状は、誘電被覆導体を示す厳密な形状である必要はなく、複数の誘電被覆導体の各々の全体の概略を示すことができる平均的な形状であればよい。
【００８２】
次いで、複数の誘電被覆導体の各々の形状を特徴付けるための線が、おおよそ含まれるような１つの面を特定することによって、第４の面を定めることができる。なお、この第４の面の特定も、これらの線の全てが常に含まれるような厳密な面を想定する必要はなく、おおよそ含まれる１つの面を第４の面とすればよい。
【００８３】
例えば、複数の誘電被覆導体の各々が直線状であり、かつ、これらのが互いに平行になるように並置されている場合には、複数の誘電被覆導体の各々は、直線によって特定することができる。さらに、複数の誘電被覆導体は、互いに平行に並置されているので、これらの直線が含まれる面は、１つの平面であり、第４の面は、この１つの平面となる。
【００８４】
上述した第４の面の形状は、例えば、平面や球面等の一定の形状に画定できるものであればよく、飛動生物除去装置が設置される箇所の形状等に応じて適宜定めればよい。複数の誘電被覆導体は、第４の面におおよそ沿うように配置されていればよい。
【００８５】
上述した第２の導体は、線状又は板状の形状を有する第２の導電体である。これらの複数の第２の導電体は、第２の面に沿うように配置されている。なお、この第２の面の特定は、上述したものと同様に行えばよい。上述した第４の面と第２の面とが、一の距離だけ離隔したものが好ましい。特に、第４の面と第２の面との双方が平面形状である場合には、第４の面と第２の面とが略平行になるように配置されるのが好ましい。
【００８６】
なお、平行になるのは、第４の面と第２の面との関係だけであり、複数の誘電被覆導体と複数の第２の導電体とが平行になる必要はない。例えば、複数の誘電被覆導体の長手方向が水平方向であり、複数の第２の導電体の長手方向が垂直方向となるようにしても、第４の面と第２の面とが略平行であればよい。また、複数の誘電被覆導体の長手方向や、複数の第２の導電体の長手方向は、第４の面と第２の面とが略平行であるようにすれば、いずれの方向を向いていてもよい。
【００８７】
このようにすることで、飛動可能な生物に的確に電界による力を与えたり、飛動可能な生物に的確に放電を起こさせたりして、飛動可能な生物を除去することができるとともに、誘電体と導体とを一体に取り扱うことができるので、飛動生物除去装置の組み立てや取り扱いを容易にすることができる。
【００８８】
本発明に係る飛動生物除去装置は、
前記第１の導体は、誘電性の材料によって少なくとも一部が覆われ、網目状に形成された誘電被覆導体であり、
前記誘電被覆導体は、所定の第４の面に沿うように形成され、
前記第２の導体は、線状又は板状の複数の第２の導電体であり、
前記複数の第２の導電体は、互いに略平行になるように配置され、
前記複数の第２の導電体は、所定の第２の面に沿うように配置され、
前記第４の面と前記第２の面とは、前記一の距離だけ離隔したものが好ましい。
【００８９】
上述した第１の導体は、誘電性の材料によって少なくとも一部が覆われ、これを誘電被覆導体という。この誘電被覆導体は、網目状に形成されている。網目は、誘電性の材料で覆われた導電性の線材を編んだり折り曲げたりすることで形成されたり、誘電被覆導体の全体又は一部が、誘電性の材料で覆われた導電性の材料によって、例えば板状のものに孔を形成することによって一体的に形成され、最終的に網目状と視認できるように形成されたものであればよい。１つの網目の大きさは、飛動可能な生物の種類等に応じて定めればよい。また、全ての網目の大きさが同じである必要もない。網目の形状は、略四角形や略ひし形等のものが好ましいが、その他の多角形等の形状でもよい。
【００９０】
誘電被覆導体は、第４の面に沿うように配置されている。すなわち、誘電被覆導体の全体によって、第４の面が確定される。第４の面は、仮想的な面であり、第２の面とは異なる面である。また、第４の面は、第２の面から所定の距離だけ離隔するように配置されている。
【００９１】
このようにすることで、誘電被覆導体の誘電分極によって生ずる電界の強さが位置によって異なるような形状とするとともに、配置するのが好ましい。このように、電界の強度が位置によって異なる電界（不平等電界、不均一場）を生じさせることによって、飛動可能な生物が帯電している場合には、飛動可能な生物にクーロン力を及ぼすことができ、飛動可能な生物が電気的に中性である場合には、飛動可能な生物に静電誘導を生じさせてグレーディエント力を及ぼすことができる。このような電界を生じさせることで、クーロン力やグレーディエント力を飛動可能な生物に及ぼして、飛動可能な生物を移動させにくくすることができる。このようにすることで、誘電被覆導体の誘電分極によって生ずる電界によって、飛動可能な生物を的確に捕捉することができる。
【００９２】
さらに、誘電被覆導体の網目の大きさを適宜定めることで、飛動生物よりも大きい物体、例えば、植物の葉やゴミなどの移動を誘電被覆導体によって阻止することができ、物体が第２の導体と接触しないように排除することができる。
【００９３】
本発明に係る飛動生物除去装置は、
空気が流通できるように互いに向かい合う少なくとも２つの筐体開口が形成され、かつ、前記誘電被覆導体と前記第２の導体とを支持する筐体を含み、
前記第４の面と前記第２の面とが、前記２つの筐体開口のうちの少なくとも一方と略平行であり、
前記誘電性の材料は、前記２つの筐体開口のうちの最も近い方に向かうように、前記誘電被覆導体を覆うものが好ましい。
【００９４】
本発明に係る飛動生物除去装置は、筐体を含む。この筐体は、少なくとも２つの筐体開口が形成されている。この少なくとも２つの筐体開口は、空気が流通できるように形成されたものであり、互いに向かい合うように形成されている。特に、互いに略平行になるように２つの筐体開口が形成されているものが好ましい。また、上述した誘電被覆導体と第２の導体は、筐体によって支持される。このようにすることで、誘電被覆導体と第２の導体とは、少なくとも２つの筐体開口の間に配置される。
【００９５】
さらに、上述した第４の面と第２の面とは、少なくとも２つの筐体開口のうちの少なくとも１つの筐体開口と、略平行となる。なお、筐体開口と略平行とは、筐体開口の縁部によって画定できる面と、筐体開口とが、略平行になることをいう。
【００９６】
このようにすることで、少なくとも２つの筐体開口に亘って流通する空気の流れに乗って動く飛動生物に対して放電を生じさせて、飛動生物を的確に除去することができる。
【００９７】
本発明に係る植物保護装置は、
植物が配置される植物配置区域と、
前記植物配置区域を囲む囲繞部と、を含み、
前記囲繞部の少なくとも一部は、可視光を透過させることができ、
前記囲繞部のうち空気が流通可能な箇所に請求項１〜６記載の飛動生物除去装置が設けられたことを特徴とする。
【００９８】
本発明に係る植物保護装置は、植物配置区域と囲繞部とを含む。植物配置区域には、植物が配置される。植物の種類は問わない。囲繞部は、植物配置区域を囲む。囲繞部は、植物の育成や生存に必要な程度に、可視光を透過させることができる部材からなる。囲繞部には、空気が流通可能な箇所が設けられている。空気は、植物の育成や生存に必要な程度に、空気を流通させることができればよい。空気が流通できる箇所には、上述した飛動生物除去装置が設けられている。このようにすることで、飛動可能な生物を空気中から除去して、植物の育成や生存に適切な空気を供給することができる。
【００９９】
本発明に係る植物保護装置は、
前記植物配置区域に向かって前記誘電体、前記第１の導体、及び前記第２の導体の順に並べられているものが好ましい。
【０１００】
このように誘電体、第１の導体、及び第２の導体を配置することによって、まず、誘電体の誘電分極によって生じた電界によって、飛動可能な生物を移動させにくくすることができ、飛動可能な生物を捕捉することができる。また、誘電体の誘電分極によって生じた電界によって、捕捉できなかった場合であっても、第１の導体や第２の導体とから生じた電界によって、飛動可能な生物に対して放電を起こして、飛動可能な生物を除去することができるので、飛動可能な生物の除去を確実にすることができ、植物の育成や生存に適切な空気を植物に供給することができる。
【０１０１】
本発明に係る植物保護装置は、
前記凸曲面が、前記植物配置区域に対して反対方向に向くように配置されているものが好ましい。
【０１０２】
凸曲面によって空気の流れを曲げたり、空気を回転させたり、うずを生じさせたりすることができる。このように、空気の流れを曲げたり、空気の流れに回転成分を与えたりすることによって、電界が有効に存在する領域に飛動可能な生物を存在させる機会を増やすことができ、的確に飛動可能な生物を除去できる機会を増やすことができる。
【０１０３】
前記囲繞部には、前記植物配置区域に配置された植物に空気を供給するための少なくとも１つの流通開口が形成され、
前記飛動生物除去装置は、前記少なくとも１つの流通開口を覆うように取り付けられ、
前記第１の面と前記第２の面と前記第３の面とが、略平面であり、
前記第１の面と前記第２の面と前記第３の面とが、前記流通開口と略平行であるものが好ましい。
【０１０４】
このように配置することで、飛動生物除去装置によって光を遮らないようにすることができ、光を植物に的確に照射することができるとともに、空気の流通を妨げることなく、飛動可能な生物が植物に至ることを防止することができる。
【０１０５】
前記植物配置区域に向かって、前記誘電被覆導体、及び前記第２の導体の順に並べられているものが好ましい。
【０１０６】
このようにすることで、まず、誘電被覆導体の誘電分極によって生じた電界によって、飛動可能な生物を移動させにくくすることができ、飛動可能な生物を捕捉することができる。また、誘電被覆導体の誘電分極によって生じた電界によって、捕捉できなかった場合であっても、第２の導体とから生じた電界によって、飛動可能な生物に対して放電を起こして、飛動可能な生物を除去することができるので、飛動可能な生物の除去を確実にすることができ、植物の育成や生存に適切な空気を植物に供給することができる。
【０１０７】
前記囲繞部には、前記植物配置区域に配置された植物に空気を供給するための少なくとも１つの流通開口が形成され、
前記飛動生物除去装置は、前記少なくとも１つの流通開口を覆うように取り付けられ、
前記第４の面と前記第２の面が、略平面であり、
前記第４の面と前記第２の面とが、前記流通開口と略平行であるものが好ましい。
【０１０８】
このように配置することで、飛動生物除去装置によって光を遮らないようにすることができ、光を植物に的確に照射することができるとともに、空気の流通を妨げることなく、飛動可能な生物が植物に至ることを防止することができる。
【発明の効果】
【０１０９】
植物病原菌の胞子等及び／又は小害虫等の飛動可能な生物に静電界を印加するものであり、静電界を印加することにより飛動可能な生物を捕捉したり、放電により死滅させたりすることによって、飛動可能な生物を除去して、植物の病虫害の発生を防止することができる。
【発明を実施するための最良の形態】
【０１１０】
以下に、本発明を実施するための最良の形態について図面に基づいて説明する。
【０１１１】
＜＜植物保護装置１０＞＞
図１は、本発明に係る植物保護装置１０の概略を示す斜視図である。
【０１１２】
＜植物配置区域２０＞
図１に示した破線によって囲まれた領域が植物配置区域２０である。植物配置区域２０は、植物保護装置１０内の略中央部に位置する。植物配置区域２０は、植物を育成したり生存させたりするのに適した環境であればよい。植物配置区域２０は、特に、植物の種類に応じて、十分に光を照射するとともに、空気を十分に供給できる環境であればよい。また、植物の大きさに応じて十分な領域を確保でき、植物の種類に応じて、温度や湿度が十分に調節された環境にできるのが好ましい。
【０１１３】
＜囲繞部３０＞
囲繞部３０は、上述した植物配置区域２０を囲む。図１に示した例では、囲繞部３０は、直方体であり、正面壁３２ａ、背面壁３２ｂ、右側面壁３２ｃ、左側面壁３２ｄ、上面３２ｅ、及び下面３２ｆからなる。正面壁３２ａ、背面壁３２ｂ、右側面壁３２ｃ、左側面壁３２ｄ、及び上面３２ｅは、光を十分に透過させることができる透明な部材からなるのが好ましい。例えば、透明なプラスチックやアクリルのほか、透明なガラスからなるのが好ましい。
【０１１４】
正面壁３２ａと背面壁３２ｂとの双方には、植物配置区域２０に配置された植物に空気を供給するための開口３４ａと３４ｂとが形成されている。開口３４ａ及び３４ｂの各々の外側には、開口３４ａ及び３４ｂを覆うように、後述する飛動生物除去装置１００，２００，３００，４００，６００、７００又は８００が設置されている。なお、飛動生物除去装置１００，２００，３００，４００，６００，７００又は８００は、後述するように、第１の導体１１０又は２１０、第２の導体１２０又は２２０、誘電体１４０又は５４０を含むが、図１では、第１の導体１１０のみを示して飛動生物除去装置１００，２００，３００，４００，６００，７００又は８００とした。
【０１１５】
なお、本実施の形態では、図１に示したように、囲繞部３０の形状が直方体であるものを示したが、このような形状には限られず、植物配置区域２０に配置された植物に対して適切な環境を提供できるものであればよく、囲繞部３０は、曲面で形成されたものでもよい。
【０１１６】
＜飛動生物除去装置１００，２００，３００，４００，６００，７００，８００＞
上述したように、正面壁３２ａの開口３４ａと、背面壁３２ｂの開口３４ｂとには、後述する飛動生物除去装置１００，２００，３００，４００，６００，７００又は８００が配置されている。
【０１１７】
後述するように、飛動生物除去装置１００は、第１の導体１１０と、第２の導体１２０と、誘電体１４０とを含む。飛動生物除去装置２００は、第１の導体１１０と、第２の導体１２０とを含む。飛動生物除去装置３００は、第１の導体１１０と、第２の導体１２０と、誘電体５４０とを含む。飛動生物除去装置４００は、第１の導体２１０と、第２の導体２２０と、誘電体１４０とを含む。例えば、飛動生物除去装置１００の第１の導体１１０は、９本の第１の導電体１１２ａや１１２ｂからなり、これらが水平方向に互いに略平行になるように配置されている。また、第２の導体１２０は、９本の第２の導電体１２２からなり、これらが水平方向に互いに略平行になるように配置されている。さらに、誘電体１４０は、８枚の誘電板１４２からなり、これらが水平方向に互いに略平行になるように配置されている。飛動生物除去装置２００の第１の導体１１０と、第２の導体１２０も同様に配置される。また、図１に示した植物保護装置１０の例では、９本の第１の導電体１１２ａや１１２ｂと、９本の第２の導電体１２２と、８枚の誘電板１４２とを、正面壁３２ａの開口３４ａと、背面壁３２ｂの開口３４ｂに亘って配置した。なお、植物配置区域２０に配置された植物に光を照射し、空気を供給することができるように、配置すればよく、水平方向に配置する場合のみならず、垂直方向や、斜め方向に配置してもよい。
【０１１８】
なお、上述した図１に示した植物保護装置１０では、正面壁３２ａと背面壁３２ｂとの略全面に亘って開口３４ａ及び３４ｂが形成され、これらの２つの開口３４ａ及び３４ｂを覆うように、飛動生物除去装置１００，２００，３００，４００，６００，７００又は８００を取り付けた場合を示した。これに対して、植物配置区域２０に配置された植物の種類や数によっては、正面壁３２ａと背面壁３２ｂとの一部の領域のみに開口を形成すればよい場合もある。このような場合には、形成した開口の大きさに応じた大きさを有する飛動生物除去装置１００，２００，３００，４００，６００，７００又は８００を取り付ければよい。飛動生物除去装置１００，２００，３００，４００，６００，７００又は８００は、形成した開口の全体を覆うことで、植物配置区域２０に配置された植物に適切な空気を供給できればよい。
【０１１９】
また、図１に示した植物保護装置１０では、正面壁３２ａと背面壁３２ｂとの二箇所のみに、飛動生物除去装置１００，２００，３００，４００，６００，７００又は８００を取り付けた場合を示したが、他の右側面壁３２ｃ、左側面壁３２ｄ、上面３２ｅ等に飛動生物除去装置１００，２００，３００，４００，６００，７００又は８００を取り付けてもよい。植物配置区域２０に配置された植物の種類や数に応じて、植物に、十分に光を照射できるとともに、空気を十分に供給できればよく、飛動生物除去装置１００，２００，３００，４００，６００，７００又は８００の数や大きさ、飛動生物除去装置１００，２００，３００，４００，６００，７００又は８００を配置する位置については、植物の種類や数等に応じて適宜定めればよい。
【０１２０】
＜＜飛動生物除去装置１００＞＞
図２は、飛動生物除去装置１００の概略を示す斜視図である。なお、図２に示した飛動生物除去装置１００は、構成を明確に示すために、後述する筐体１５０を破線で示すとともに、第１の導電体１１２ｂを省略し、誘電板１４２については５本のみを示し、第１の導電体１１２ａについては４本のみを示し、第２の導電体１２２については５本のみを示して、簡略化した。
【０１２１】
飛動生物除去装置１００の筐体１５０は、２つの側部１６２ａ及び１６２ｂと、天部１６４と、底部１６６とからなる。これらの２つの側部１６２ａ及び１６２ｂと、天部１６４と、底部１６６とは、電気的に絶縁された材料、例えばプラスチックからなる。飛動生物除去装置１００の正面１６８ａと背面１６８ｂとの全面は、開放されている。この正面１６８ａと背面１６８ｂとは、互いに向かい合うように配置されており、この正面１６８ａと背面１６８ｂとを介して、空気は流通することができる。この正面１６８ａと背面１６８ｂとが、「筐体開口」に対応する。飛動生物除去装置１００が、上述した植物保護装置１０に取り付けられたときには、飛動生物除去装置１００の背面１６８ｂが、植物保護装置１０の開口３４ａや３４ｂとおおよそ整合し、飛動生物除去装置１００と開口３４ａや３４ｂとを介して空気が流通できるように、飛動生物除去装置１００の筐体１５０は、形成されている。この開口３４ａと３４ｂとが、「流通開口」に対応する。
【０１２２】
第１の導電体１１２ａと、第１の導電体１１２ｂと、第２の導電体１２２と、誘電板１４２との全ては、長尺な形状を有する。第１の導電体１１２ａと、第１の導電体１１２ｂと、第２の導電体１２２と、誘電板１４２との全ては、その一端が、側部１６２ａによって支持され、他端が、側部１６２ｂによって支持され、２つの側部１６２ａと１６２ｂとの間で水平に配置されている。なお、後述するように、側部１６２ａ又は１６２ｂでは、第１の導電体１１２ａは、互いに電気的に接続されている。また、第１の導電体１１２ｂも、側部１６２ａ又は１６２ｂで、互いに電気的に接続されている。同様に、第２の導電体１２２も、側部１６２ａ又は１６２ｂで、互いに電気的に接続されている。
【０１２３】
図３は、飛動生物除去装置１００を示す断面図である。なお、この図３は、上述した植物保護装置１０の正面壁３２ａの開口３４ａに、飛動生物除去装置１００が取り付けられたものを１つの例として示した。図３に示すように、飛動生物除去装置１００は、正面壁３２ａの外側の面に、開口３４ａを覆うように取り付けられている。上述したように、飛動生物除去装置１００が植物保護装置１０（図示せず）に取り付けられたときには、飛動生物除去装置１００の背面１６８ｂは、植物保護装置１０の開口３４ａと整合する。図３では、図面の左方向が、植物保護装置１０の外側であり、図面の右方向が、植物保護装置１０の内側であり、植物配置区域２０（図示せず）が存在する。図３に示した矢印は、植物保護装置１０の外側から内部に向かって、飛動生物除去装置１００を介して流入する空気の流れを示す。
【０１２４】
飛動生物除去装置１００は、第１の導体１１０と、第２の導体１２０と、電源１３０と、誘電体１４０とを含む。第１の導体１１０と、第２の導体１２０と、誘電体１４０とは、これらの端部が筐体１５０によって支持されている。
【０１２５】
＜第１の導体１１０＞
図３に示した飛動生物除去装置１００の第１の導体１１０は、外側のもの（図面の左側のもの）と内側のもの（図面の右側のもの）との２組がある。以下では、外側のものを第１の導体１１０ａと称し、内側のものを第１の導体１１０ｂと称する。第１の導体１１０ａは、９本の第１の導電体１１２ａからなる。第１の導体１１０ｂは、９本の第１の導電体１１２ｂからなる。図３に示した破線は、９本の第１の導電体１１２ａの全体の形状を特徴付ける第１の面１１４ａと、９本の第１の導電体１１２ｂの全体の形状を特徴付ける第１の面１１４ｂであり、これは、仮想的な面であり、実体的な面でない。なお、この第１の面１１４ａ及び１１４ｂについては、後で説明する。上述したように、これらの９本の第１の導電体１１２ａ同士と、９本の第１の導電体１１２ｂ同士とは、筐体１５０の側部１６２ａ又は１６２ｂで、図示しない電線によって、互いに電気的に接続されている。
【０１２６】
図３では、９本の第１の導電体１１２ａと、９本の第１の導電体１１２ｂとの断面が描かれている。９本の第１の導電体１１２ａの各々と、９本の第１の導電体１１２ｂの各々とは、略直線状の形状を有し、水平方向（図３の紙面に対して垂直な方向）にまっすぐに延びる長尺な導電線である。第１の導電体１１２ａと１１２ｂとの断面の形状は、略円形である。
【０１２７】
これらの９本の第１の導電体１１２ａの各々は、水平方向（図３の紙面に対して垂直な方向）に配置されている。９本の第１の導電体１１２ａの各々は、互いに離隔し、隣り合うものの間隔が所定の長さとなるように、かつ、互いに略平行になるように配置されている。同様に、９本の第１の導電体１１２ｂの各々も、水平方向（図３の紙面に対して垂直な方向）に配置されている。９本の第１の導電体１１２ｂの各々も、互いに離隔し、隣り合うものの間隔が所定の長さとなるように、かつ、互いに略平行になるように配置されている。上述したように、９本の第１の導電体１１２ａ及び１１２ｂの各々を、互いに離隔するように配置することで、植物保護装置１０に空気を十分に供給することができるとともに、９本の第１の導電体１１２ａ及び１１２ｂによって生ずる影を小さくできるので、植物保護装置１０に照射される光を遮らないようにすることもできる。
【０１２８】
なお、９本の第１の導電体１１２ａの各々の形状、及び９本の第１の導電体１１２ｂの各々の形状は、直線状である場合には限られず、一定の形状を保つことができるものであればよく、例えば、一定の曲線に沿った湾曲した形状を有するものでもよい。
【０１２９】
第１の導体１１０ａを構成する９本の第１の導電体１１２ａは、垂直方向（図３の紙面上の上下方向）に沿って配置されている。すなわち、９本の第１の導電体１１２ａは、第１の面１１４ａに沿うように配置されている。
【０１３０】
この第１の面１１４ａを特定する手法は、以下の手順で行えばよい。
【０１３１】
まず、９本の第１の導電体１１２ａの各々の形状を、１本の線の形状によって特定する。これは、１本の第１の導電体１１２ａの長手方向に垂直な面における第１の導電体１１２ａの中心を定め、この中心を第１の導電体１１２ａの長手方向に沿って結ぶことによって、１本の第１の導電体１１２ａについて、１本の線を定めることができる。このようにして、９本の第１の導電体１１２ａの各々を特徴付ける線を、１本ずつ決定できる。なお、本実施の形態では、９本の第１の導電体１１２ａの各々は、上述したように、まっすぐに延びた略直線状の形状を有するので、９本の第１の導電体１１２ａの各々を特徴付ける線は、直線となる。
【０１３２】
次いで、９本の第１の導電体１１２ａの各々の形状を特徴付けるための線がおおよそ含まれるような１つの面を特定することによって、第１の面１１４ａを定めることができる。なお、この第１の面１１４ａの特定は、これらの線の全てが常に含まれるような厳密な面を想定する必要はなく、おおよそ含まれる１つの面を第１の面１１４ａとすればよい。なお、本実施の形態では、９本の第１の導電体１１２ａの各々の形状を特徴付けるための線は、上述したように、直線であるので、第１の面１１４ａの形状は、１つの平面となる。
【０１３３】
第１の導体１１０ｂを構成する９本の第１の導電体１１２ｂも、垂直方向（図３の紙面上の上下方向）に沿って配置されている。すなわち、９本の第１の導電体１１２ｂは、第１の面１１４ｂに沿うように配置されている。この第１の面１１４ｂは、第１の面１１４ａと同様の手法により特定することができる。
【０１３４】
上述したように、第１の導体１１０ａを構成する９本の第１の導電体１１２ａも、第１の導体１１０ｂを構成する９本の第１の導電体１１２ｂも、垂直方向に沿って配置されているので、第１の面１１４ａと第１の面１１４ｂとは、平行になる。
【０１３５】
なお、図３に示した例では、９本の第１の導電体１１２ａの全体の形状を特徴付ける第１の面１１４ａは、平面であり、９本の第１の導電体１１２ｂの全体の形状を特徴付ける第１の面１１４ｂも、平面である場合を示したが、第１の面１１４ａと１１４ｂとは、平面である場合に限られず、曲面でもよい。９本の第１の導電体１１２ａや９本の第１の導電体１１２ｂは、一定の面に沿うように配置されていればよい。
【０１３６】
＜第２の導体１２０＞
図３に示した飛動生物除去装置１００の第２の導体１２０は、９本の第２の導電体１２２からなる。図３に示した破線は、９本の第２の導電体１２２の全体の形状を特徴付ける第２の面１２４であり、これは、仮想的な面であり、実体的な面でない。なお、この第２の面１２４については、後で説明する。これらの９本の第２の導電体１２２同士は、図示しない電線によって、互いに電気的に接続されている。
【０１３７】
図３では、９本の第２の導電体１２２の断面が描かれている。９本の第２の導電体１２２の各々とは、略直線状の形状を有し、水平方向（図３の紙面に対して垂直な方向）にまっすぐに延びる長尺な導電線である。第２の導電体１２２の断面の形状は、略円形である。
【０１３８】
これらの９本の第２の導電体１２２の各々は、水平方向（図３の紙面に対して垂直な方向）に配置されている。９本の第２の導電体１２２の各々は、互いに離隔し、隣り合うものの間隔が所定の長さとなるように、かつ、互いに略平行になるように配置されている。上述したように、９本の第２の導電体１２２の各々を、互いに離隔するように配置することで、植物保護装置１０に空気を十分に供給することができるとともに、９本の第２の導電体１２２によって生ずる影を小さくできるので、植物保護装置１０に照射される光を遮らないようにすることもできる。
【０１３９】
なお、９本の第２の導電体１２２の各々の形状は、直線状である場合には限られず、一定の形状を保つことができるものであればよく、例えば、一定の曲線に沿った湾曲した形状を有するものでもよい。
【０１４０】
第２の導体１２０を構成する９本の第２の導電体１２２は、垂直方向（図３の紙面の上下方向）に沿って配置されている。すなわち、９本の第２の導電体１２２は、上述した第１の面１１４ａ又は１１４ｂと略平行な第２の面１２４に沿うように配置されている。
【０１４１】
第２の面１２４は、第１の面１１４ａや１１４ｂと同様の手法によって特定することができる。第２の面１２４は、上述した第１の面１１４ａや１１４ｂと平行であり、第１の面１１４ａや１１４ｂから所定の距離だけ離隔した位置にある。この所定の距離は、９本の第１の導電体１１２ａや１１２ｂと、９本の第２の導電体１２２とのみが存在するときには放電は生じないが、９本の第１の導電体１１２ａや１１２ｂと、９本の第２の導電体１２２との間に、飛動可能な生物が存在したときには、放電を生じさせることができる距離にする。なお、９本の第２の導電体１２２は、第２の面１２４に沿うように概略配置されていればよく、第２の面１２４内に含まれるように配置される必要はない。すなわち、９本の第２の導電体１２２は、その全体が、第２の面１２４を構成しているように視認できる程度に配置されていればよい。
【０１４２】
なお、図３に示した例では、９本の第２の導電体１２２の全体の形状を特徴付ける第２の面１２４は、平面である場合を示したが、第２の面１２４は、平面である場合に限られず、曲面でもよい。９本の第２の導電体１２２は、一定の面に沿うように配置されていればよい。
【０１４３】
図３に示すように、第１の導電体１１２ａ及び１１２ｂの垂直方向（図３の紙面の上下方向）の位置と、第２の導電体１２２の垂直方向の位置とが、互い違いになるように、９本の第１の導電体１１２ａ及び１１２ｂと、第２の導電体１２２とを配置するのが好ましい。このようにすることで、強度が位置で異なる電界を生じさせやすくことができ、クーロン力やグレーディエント力を飛動可能な生物に及ぼしやすくすることができる。
【０１４４】
後述するように、上述した第１の導体１１０ａ及び１１０ｂと第２の導体１２０とは、電源１３０に電気的に接続されている。このようにすることで、第１の導体１１０ａ及び１１０ｂは、第１の電位になり、第２の導体１２０は、第１の電位より高い第２の電位となる。特に、第１の導体１１０ａ及び１１０ｂは、接地され、電位がゼロとなるものが好ましい。
【０１４５】
また、上述した第１の面１１４ａと第２の面１２４との距離や、第１の面１１４ｂと第２の面１２４との距離である「一の距離」は、飛動可能な生物に対して的確に放電を起こさせることができる距離であればよく、０．１〜３ｃｍが好ましく、０．３〜２ｃｍがより好ましく、０．５〜１ｃｍが更に好ましい。
【０１４６】
また、第１の導体１１０ａ及び１１０ｂと第２の導体１２０との間には、空気以外の誘電体がないことが好ましい。第１の導体１１０と第２の導体１２０との配置は、これらを交互に配置したり、単一の第１の導体１１０と単一の第２の導体１２０とのみを配置したりしてもよい。
【０１４７】
＜電源１３０＞
電源１３０は、所定の直流電圧を出力することができるプラス端子とマイナス端子とを有する。
【０１４８】
第１の導体１１０ａ及び１１０ｂを構成する９本の第１の導電体１１２ａの各々と、９本の第１の導電体１１２ｂの各々とは、電源１３０のマイナス端子に接続されている。本実施の形態では、このマイナス端子は、接地されている。第２の導体１２０を構成する９本の第２の導電体１２２の各々は、電源１３０のプラス端子に接続されている。
【０１４９】
第１の導体１１０ａ及び１１０ｂと第２の導体１２０とに印加する直流電圧は、第１の面と第２の面との間隔や、後述する誘電体１４０との間隔や、通過する空気の風量などによって適宜決めればよい。例えば、病害虫等の飛動可能な生物に対して高圧を印加でき、かつ飛動可能な生物に放電を起こすことができる電圧であればよい。具体的には、第１の導体１１０ａ及び１１０ｂと第２の導体１２０とに印加する直流電圧は、１〜４０ｋＶが好ましく、３〜３０ｋＶがより好ましく、５〜２０ｋＶがさらに好ましい。印加する直流電圧が１〜４０ｋＶである場合には、第１の導体と第２の導体との間で飛動可能な生物を除去することができので、好ましい。また、印加する直流電圧が低すぎる場合には、飛動可能な生物に誘電分極を生じさせない可能性があるため好ましくない。
【０１５０】
本実施の形態では、直流高電圧発生装置を電源として用いる。このようにすることで、一定の高電圧を第１の導体１１０ａ及び１１０ｂと第２の導体１２０とに印加することができ、病害虫等の飛動可能な生物は、放電により除去され、植物保護装置１０の植物配置区域２０に侵入することを防止することができる。
【０１５１】
上述した植物保護装置１０は、自然換気させても、強制換気させてもよい。強制換気の場合の風速は、第１の導体１１０ａ及び１１０ｂと第２の導体１２０との間隔や、第１の導体１１０ａ及び１１０ｂと第２の導体１２０とに印加する電圧や、後述する誘電体の位置により決定すればよい。例えば、植物保護装置１０の開口３４ａや３４ｂについて、１ｍ２あたり１〜１０００ｍ３／ｈｒが例として挙げられる。
【０１５２】
＜誘電体１４０＞
図３に示すように、誘電体１４０は、飛動生物除去装置１００の最も外側に取り付けられている。誘電体１４０は、板状の誘電性を有する８枚の誘電板１４２からなる。図３に示した破線は、８枚の誘電板１４２の全体の形状を特徴付ける第３の面１４４であり、これは、仮想的な面であり、実体的な面ではない。なお、この第３の面１４４については、後で説明する。
【０１５３】
誘電体１４０は、電気を通さないもの、いわゆる絶縁体とされているものであればよい。誘電体１４０の材質は、例えば、塩化ビニル、ポリエチレン、ポリプロピレン、ウレタン、ポリエステル、レーヨン、セルロース、ゴム等が挙げられる。
【０１５４】
図３及び図４には、８枚の誘電板１４２の断面が描かれている。誘電板１４２の断面の形状は、略半円の円弧状である。図３及び図４に示すように、８枚の誘電板１４２の各々は、水平方向（図３の紙面に対して垂直な方向）にまっすぐに延びる長尺な形状を有する。なお、図４は、１枚の誘電板１４２について示す斜視図である。８枚の誘電板１４２の各々は、水平方向にまっすぐに延びた半円筒形の形状を有する。このような形状としたことにより、垂直方向に関しては小さくすることができるとともに、表面積を大きくすることができる。垂直方向に小さくできるので、飛動生物除去装置１００の厚さを薄くすることができるとともに、８枚の誘電板１４２によって生ずる影を小さくできるので、植物保護装置１０に照射される光を遮ないようにすることができる。また、誘電板１４２の誘電分極によって生ずる電界の強度をより不均一にすることもできる。さらに、誘電板１４２の表面積を大きくできるので、誘電板１４２の誘電分極によって生ずる電界を、飛動可能な生物に及ぼすことができる領域を広げることができる。
【０１５５】
これらの８枚の誘電板１４２の各々は、水平方向（図３の紙面に対して垂直な方向）に配置されている。８枚の誘電板１４２の各々は、互いに離隔し、隣り合うものの間隔が所定の長さとなるように、かつ、互いに略平行になるように配置されている。このように、８枚の誘電板１４２の各々を、互いに離隔して配置することで、植物保護装置１０へ照射される光を遮りにくくすることができる。
【０１５６】
なお、８枚の誘電板１４２の各々の形状は、まっすぐに延びた長尺な形状である場合には限られず、一定の形状を保つことができるものであればよく、例えば、長手方向に沿って湾曲した形状を有するものでもよい。
【０１５７】
誘電体１４０を構成する８枚の誘電板１４２は、垂直方向（図３の紙面上の上下方向）に沿って配置されている。すなわち、８枚の誘電板１４２は、第３の面１４４に沿うように配置されている。
【０１５８】
第３の面１４４を特定する手法は、以下の手順で行えればよい。
【０１５９】
まず、８枚の誘電板１４２の各々の形状を、１本の線の形状によって特定する。これは、誘電板１４２の長手方向に垂直な面における誘電板１４２の中心を定め、この中心を誘電板１４２の長手方向に沿って結ぶことによって、１本の線を定めることができる。このようにして、８枚の誘電板１４２の各々を特徴付ける線を、１本ずつ決定できる。なお、本実施の形態では、８枚の誘電板１４２の各々は、上述したように、まっすぐに延びた半円筒状の形状を有するので、８枚の誘電板１４２の各々を特徴付ける線は、直線となる。
【０１６０】
次いで、８枚の誘電板１４２の各々の形状を特徴付けるための線がおおよそ含まれるような１つの面を特定することによって、第３の面１４４を定めることができる。なお、この第３の面１４４の特定も、これらの線の全てが常に含まれるような厳密な面を想定する必要はなく、おおよそ含まれる１つの面を第３の面１４４とすればよい。なお、本実施の形態では、８枚の誘電板１４２の各々の形状を特徴付けるための線は、上述したように、直線であるので、第３の面１４４の形状は、１つの平面となる。
【０１６１】
図３及び図４に示したように、８枚の誘電板１４２の各々の断面の形状は、略半円の円弧状であるが、断面の形状は、植物保護装置１０の外側に向かって（図３の左向き）突出する凸曲線であればよい。すなわち、８枚の誘電板１４２の各々の凸曲面が、誘電板１４２の長手方向に対して垂直な方向に突出するように、８枚の誘電板１４２の各々を配置する。
【０１６２】
このように、８枚の誘電板１４２の各々を凸曲面を有する形状としたことで、強さが位置によって異なる電界（不平等電界、不均一場）を、８枚の誘電板１４２の誘電分極によって生じさせることができる。このような電界を生じさせることによって、飛動可能な生物が帯電している場合には、飛動可能な生物にクーロン力を及ぼすことができ、飛動可能な生物が電気的に中性である場合には、飛動可能な生物に静電誘導を生じさせてグレーディエント力を及ぼすことができる。このような電界を生じさせることで、クーロン力やグレーディエント力を飛動可能な生物に及ぼして、飛動可能な生物を移動させにくくすることができる。このようにすることで、８枚の誘電板１４２の誘電分極によって生ずる電界によって、飛動可能な生物を的確に捕捉することができる。
【０１６３】
また、８枚の誘電板１４２の各々を凸曲面を有する形状としたことで、図３の曲線からなる矢印に示すように、飛動生物除去装置を介して空気を植物に供給するときに、凸曲面によって、その空気の流れを曲げたり、空気を回転させたり、うずを生じさせたりすることができる。空気の流れを曲げたり、空気の流れに回転成分を与えたりすることによって、上述した９本の第１の導電体１１２ａ及び１１２ｂと、９本の第２の導電体１２２によって生じた電界や、８枚の誘電板１４２の誘電分極によって生じた電界が有効に存在する領域に飛動可能な生物を存在させる機会を増やすことができ、的確に飛動可能な生物を捕捉したり除去したりすることができる。また、９本の第１の導電体１１２ａ及び１１２ｂと、９本の第２の導電体１２２や、８枚の誘電板１４２を大きくすることなく、電界が有効に存在する領域に飛動可能な生物を存在させる機会を増やすことができるので、装置を薄くしたり、小型化したりすることができる。
【０１６４】
誘電体１４０を構成する８枚の誘電板１４２は、垂直方向（図３の紙面の上下方向）に沿って配置されている。すなわち、８枚の誘電板１４２は、上述した第１の面１１４ａ又は１１４ｂと略平行な第３の面１４４に沿うように配置されている。第３の面１４４は、第１の面１１４ａ又は１１４ｂから所定の距離だけ離隔した位置にあり、第１の面１１４ａ又は１１４ｂや第２の面１２４と略平行となる。この所定の距離は、第１の導体１１０ａ及び１１０ｂや第２の導体１２０によって生じた電界によって、８枚の誘電板１４２に誘電分極が生じ、その誘電分極によって電界を有効に生じさせることができる距離であればよい。この電界を有効に生じさせるとは、誘電分極によって生じた電界によって、飛動可能な生物の移動を妨げることができることを意味する。上述した所定の距離は、例えば、この距離は、３ｃｍ以下が好ましく、０．３〜２ｃｍがより好ましく、０．５〜１ｃｍがさらに好ましい。
【０１６５】
なお、８枚の誘電板１４２は、上述した第３の面１４４に沿うように概略配置されていればよく、第３の面１４４内に含まれるように配置される必要はない。すなわち、８枚の誘電板１４２は、その全体が、第３の面１４４を構成しているように視認できる程度に配置されていればよい。
【０１６６】
なお、図３に示した例では、８枚の誘電板１４２の全体の形状を特徴付ける第３の面１４４は、平面である場合を示したが、第３の面１４４は、平面ではなく、曲面でもよい。８枚の誘電板１４２は、一定の面に沿うように配置されていればよい。
【０１６７】
図３に示した例では、誘電板１４２の断面の形状が、略半円の円弧状であるものを示したが、病害虫等の飛動可能な生物に誘電板１４２の誘電分極によって生じた電界によって病害虫等の飛動可能な生物に力を与えて、捕捉することができればどのような形状でもよい。ただし、第１の導体１１０ａ及び１１０ｂと第２の導体１２０とによって生じた電界による放電を、飛動可能な生物に対して阻害し得る形状は除く。
【０１６８】
誘電体１４０を構成する８枚の誘電板１４２の誘電分極によって生じた電界は、飛動可能な生物を移動させにくくして、８枚の誘電板１４２に捕捉することができ、飛動可能な生物を除去することができる。また、誘電体１４０の誘電分極によって生じた電界によって、飛動可能な生物を捕捉できなかった場合であっても、第１の導体１１０ａ及び１１０ｂを構成する９本の第１の導電体１１２ａ及び１１２ｂや、第２の導体１２０を構成する９本の第２の導電体１２２から生じた電界によって、飛動可能な生物に対して放電を生じさせて除去することができるので、飛動可能な生物の除去を確実にすることができる。
【０１６９】
＜誘電板２４２、３４２、４４２＞
図５ａ〜５ｃは、誘電板の第２〜第４の例を示す斜視図である。
【０１７０】
図５ａに示す第２の例の誘電板２４２と、図５ｂに示す第３の例の誘電板３４２と、図５ｃに示す第４の例の誘電板４４２とは、第１の例の誘電板１４２と同様に、断面の形状は、略半円の円弧状であり、全体の形状は、２まっすぐに延びた長尺な形状を有する。すなわち、誘電板２４２、３４２及び４４２は、まっすぐに延びた半円筒形の形状を有する。
【０１７１】
誘電板２４２の凸面には、複数の溝２４４が、誘電板２４２の長手方向に沿って形成されている。また、誘電板３４２の凸面には、複数の凹み３４４が形成されている。このような複数の溝２４４や複数の凹み３４４を凸面に形成することで、８枚の誘電板２４２や３４２の誘電分極によって生じさせる電界の強度をさらに不均一にすることができる。このような電界を生じさせることによって、さらに大きいクーロン力やグレーディエント力を飛動可能な生物に及ぼすことができ、飛動可能な生物をさらに移動させにくくして捕捉することができる。
【０１７２】
また、複数の溝２４４や複数の凹み３４４によって、誘電板２４２や３４２の凸面の近くを流れる空気の流れをより大きく曲げたり、空気をより回転させたり、うずをより生じさせたりすることができ、電界が有効に存在する領域に飛動可能な生物を存在させる機会をさらに増やすことができ、的確に飛動可能な生物を捕捉したり除去したりすることができる。
【０１７３】
さらに、誘電板４４２は、誘電性の材料から網目状、例えば繊維状に形成されている。このようにしても、さらに強度が不均一な電界を生じさせることができ、さらに大きいクーロン力やグレーディエント力を飛動可能な生物に及ぼすことができ、飛動可能な生物をさらに移動させにくく捕捉することができる。
【０１７４】
また、網目状に形成したことで、空気の流通を良くするとともに、空気の流れをより大きく曲げたり、空気をより回転させたり、うずをより多く生じさせることができる。
【０１７５】
なお、上述した飛動生物除去装置１００では、第１の導体を、９本の第１の導電体１１２ａと９本の第１の導電体１１２ｂとの２組にしたが、いずれかの一組でもよい。除去する飛動生物の種類や、保護する植物の種類等に応じて加減すればよい。また、第２の導体を、９本の第２の導電体１２２の一組のみとしたが、これも、除去する飛動生物の種類や、保護する植物の種類等に応じて、２組以上にしてもよい。さらに、飛動生物除去装置１００では、誘電体を８枚の誘電板１４２の一組のみにしたが、これも、除去する飛動生物の種類や、保護する植物の種類等に応じて、２組以上にしてもよい。
【０１７６】
＜＜飛動生物除去装置２００＞＞
図６は、飛動生物除去装置２００を示す断面図である。なお、この図６は、図３の飛動生物除去装置１００と同様に、上述した正面壁３２ａの開口３４ａに、飛動生物除去装置２００が取り付けられたものを１つの例として示した。図６に示すように、飛動生物除去装置２００は、正面壁３２ａの外側の面に、開口３４ａを覆うように取り付けられている。飛動生物除去装置２００が植物保護装置１０（図示せず）に取り付けられたときには、飛動生物除去装置２００の背面１６８ｂは、植物保護装置１０の開口３４ａと整合する。図６では、図面の左方向が、植物保護装置１０の外側であり、図面の右方向が、植物保護装置１０の内側であり、植物配置区域２０（図示せず）が存在する。図６に示した矢印は、植物保護装置１０の外側から内部に向かって、飛動生物除去装置２００を介して流入する空気の流れを示す。
【０１７７】
飛動生物除去装置２００は、第１の導体１１０と、第２の導体１２０と、電源１３０と、を含む。これらの第１の導体１１０と、第２の導体１２０と、電源１３０とは、飛動生物除去装置１００のものと同様の構成であり、同様の機能を有するので説明を省略する。すなわち、飛動生物除去装置２００は、飛動生物除去装置１００から、誘電体１４０を省いたものである。植物保護装置１０内に配置される植物の種類や、除去すべき飛動生物の種類等に応じて、このような構成としてもよい。
【０１７８】
なお、上述した飛動生物除去装置２００では、第１の導体を、９本の第１の導電体１１２ａと９本の第１の導電体１１２ｂとの２組にしたが、いずれかの一組でもよい。除去する飛動生物の種類や、保護する植物の種類等に応じて加減すればよい。また、第２の導体を、９本の第２の導電体１２２の１組のみとしたが、これも、除去する飛動生物の種類や、保護する植物の種類等に応じて、２組以上にしてもよい。
【０１７９】
＜＜飛動生物除去装置３００＞＞
図７は、飛動生物除去装置３００を示す断面図である。なお、この図７は、図３の飛動生物除去装置１００と同様に、上述した正面壁３２ａの開口３４ａに、飛動生物除去装置３００が取り付けられたものを１つの例として示した。図７に示すように、飛動生物除去装置３００は、正面壁３２ａの外側の面に、開口３４ａを覆うように取り付けられている。飛動生物除去装置３００が植物保護装置１０（図示せず）に取り付けられたときには、飛動生物除去装置３００の背面１６８ｂは、植物保護装置１０の開口３４ａと整合する。図７では、図面の左方向が、植物保護装置１０の外側であり、図面の右方向が、植物保護装置１０の内側であり、植物配置区域２０が存在する。図７に示した矢印は、植物保護装置１０の外側から内部に向かって、飛動生物除去装置３００を介して流入する空気の流れを示す。
【０１８０】
飛動生物除去装置３００は、第１の導体１１０と、第２の導体１２０と、電源１３０と、誘電体５４０とを含む。第１の導体１１０と、第２の導体１２０と、誘電体５４０とは、これらの端部が筐体１５０によって支持されている。なお、第１の導体１１０と、第２の導体１２０と、電源１３０とは、飛動生物除去装置１００のものと同様の構成であり、同様の機能を有するので、説明を省略する。
【０１８１】
＜誘電体５４０＞
図７に示すように、誘電体５４０は、誘電性を有する板状の１６枚の誘電板５４２からなる。図７に示した破線は、１６枚の誘電板５４２の全体の形状を特徴付ける第３の面５４４であり、これは、仮想的な面であり、実体的な面ではない。なお、この第３の面５４４については、後で説明する。
【０１８２】
誘電体５４０は、電気を通さないもの、いわゆる絶縁体とされているものであればよい。誘電体５４０の材質は、例えば、塩化ビニル、ポリエチレン、ポリプロピレン、ウレタン、ポリエステル、レーヨン、セルロース、ゴム等が挙げられる。
【０１８３】
図７では、これらの１６枚の誘電板５４２の断面が描かれている。誘電板５４２の断面の形状は、略長方形状である。図７に示すように、１６枚の誘電板５４２の各々は、水平方向（図７の紙面に対して垂直な方向）にまっすぐに延びる長尺な形状を有する。１６枚の誘電板５４２の各々は、水平方向にまっすぐに延びた細長い薄平板状の形状を有する。このような形状としたことにより、誘電板５４２の加工を容易にしたり、誘電板５４２の配置を容易にすることができ、飛動生物除去装置３００の製造を容易にすることができる。
【０１８４】
これらの１６枚の誘電板５４２の各々は、水平方向（図７の紙面に対して垂直な方向）に配置されている。１６枚の誘電板５４２の各々は、互いに離隔し、隣り合うものの間隔が所定の長さとなるように、かつ、互いに略平行になるように配置されている。このように、１６枚の誘電板５４２の各々を、互いに離隔して配置することで、植物保護装置１０へ照射される光を遮りにくくすることができる。
【０１８５】
なお、１６枚の誘電板５４２の各々の形状は、まっすぐに延びた長尺な形状である場合には限られず、一定の形状を保つことができるものであればよく、例えば、長手方向に沿って湾曲した形状を有するものでもよい。
【０１８６】
上述した第３の面５４４を特定する手法は、以下の手順で行えればよい。
【０１８７】
まず、１６枚の誘電板５４２の各々の形状を、１本の線の形状によって特定する。これは、誘電板５４２の長手方向に垂直な面における誘電板５４２の中心を定め、この中心を誘電板５４２の長手方向に沿って結ぶことによって、１本の線を定めることができる。このようにして、１６枚の誘電板５４２の各々を特徴付ける線を、１本ずつ決定できる。なお、本実施の形態では、１６枚の誘電板５４２の各々は、上述したように、まっすぐに延びた細長い薄平板状の形状を有するので、１６枚の誘電板５４２の各々を特徴付ける線は、直線となる。
【０１８８】
次いで、１６枚の誘電板５４２の各々の形状を特徴付けるための線が含まれるような１つの面を特定することによって、第３の面５４４を定めることができる。なお、この第３の面５４４の特定も、これらの線の全てが常に含まれるような厳密な面を想定する必要はなく、おおよそ含まれる１つの面を第３の面５４４とすればよい。なお、本実施の形態では、１６枚の誘電板５４２の各々の形状を特徴付けるための線は、上述したように、直線であるので、第３の面５４４は、１つの平面となる。
【０１８９】
図７に示したように、１６枚の誘電板５４２の各々は、外側（図７の左側）は上向きに、内側（図７の右側）は下向きになるように配置されている。このように配置することで、誘電板５４２の間を通過する空気は、上から下に向うように流れが変更される。このようにすることで、９本の第１の導電体１１２ａ及び１１２ｂと、９本の第２の導電体１２２によって生じた電界や、１６枚の誘電板５４２の誘電分極によって生じた電界が有効に存在する領域に飛動可能な生物を存在させる機会を増やすことができ、的確に飛動可能な生物を捕捉したり除去したりすることができる。
【０１９０】
また、このように配置することで、植物保護装置１０に入る光を遮らないようにして、空気を植物保護装置１０に供給することができる。
【０１９１】
なお、１６枚の誘電板５４２は、上述した第３の面５４４に沿うように概略配置されていればよく、第３の面５４４内に含まれるように配置される必要はない。すなわち、１６枚の誘電板５４２は、その全体が、第３の面５４４を構成しているように視認できる程度に配置されていればよい。
【０１９２】
なお、図７に示した例では、１６枚の誘電板５４２の全体の形状を特徴付ける第３の面５４４は、平面である場合を示したが、第３の面５４４は、平面ではなく、曲面でもよい。１６枚の誘電板５４２は、一定の面に沿うように配置されていればよい。
誘電体５４０を構成する１６枚の誘電板５４２の誘電分極によって生じた電界は、飛動可能な生物を移動させにくくして、１６枚の誘電板５４２に捕捉することができ、飛動可能な生物を除去することができる。また、誘電体５４０の誘電分極によって生じた電界によって、飛動可能な生物を捕捉できなかった場合であっても、第１の導体１１０ａ及び１１０ｂを構成する９本の第１の導電体１１２ａ及び１１２ｂや、第２の導体１２０を構成する９本の第２の導電体１２２から生じた電界によって、飛動可能な生物に対して放電を生じさせて除去することができるので、飛動可能な生物の除去を確実にすることができる。
【０１９３】
なお、上述した飛動生物除去装置３００では、第１の導体を、９本の第１の導電体１１２ａと９本の第１の導電体１１２ｂとの２組にしたが、いずれかの一組でもよい。除去する飛動生物の種類や、保護する植物の種類等に応じて加減すればよい。また、第２の導体を、９本の第２の導電体１２２の１組のみとしたが、これも、除去する飛動生物の種類や、保護する植物の種類等に応じて、２組以上にしてもよい。さらに、飛動生物除去装置３００では、誘電体を１６枚の誘電板５４２の１組のみにしたが、これも、除去する飛動生物の種類や、保護する植物の種類等に応じて、２組以上にしてもよい。
【０１９４】
＜＜飛動生物除去装置４００＞＞
図８は、飛動生物除去装置４００を示す断面図である。なお、この図８は、図３の飛動生物除去装置１００と同様に、上述した正面壁３２ａの開口３４ａに、飛動生物除去装置４００が取り付けられたものを１つの例として示した。図８に示すように、飛動生物除去装置４００は、正面壁３２ａの外側の面に、開口３４ａを覆うように取り付けられている。飛動生物除去装置４００が植物保護装置１０（図示せず）に取り付けられたときには、飛動生物除去装置４００の背面１６８ｂは、植物保護装置１０の開口３４ａと整合する。図８では、図面の左方向が、植物保護装置１０の外側であり、図面の右方向が、植物保護装置１０の内側であり、植物配置区域２０（図示せず）が存在する。図８に示した矢印は、植物保護装置１０の外側から内部に向かって、飛動生物除去装置４００を介して流入する空気の流れを示す。
【０１９５】
飛動生物除去装置４００は、第１の導体２１０と、第２の導体２２０と、電源１３０と、誘電体１４０とを含む。第１の導体２１０と、第２の導体２２０と、誘電体１４０とは、これらの端部が筐体１５０によって支持されている。電源１３０と、誘電体１４０とは、飛動生物除去装置１００のものと同様の構成であり、同様の機能を有するので、ここでは説明を省略する。
【０１９６】
＜第１の導体２１０＞
図８に示した飛動生物除去装置４００の第１の導体２１０は、外側のもの（図面の左側のもの）と内側のもの（図面の右側のもの）との２組がある。以下では、外側のものを第１の導体２１０ａと称し、内側のものを第１の導体２１０ｂと称する。第１の導体２１０ａは、９本の第１の導電線２１２ａからなり、上述した９本の第１の導電体１１２ａと同様の構成であり、説明を省略する。第１の導体２１０ｂは、９枚の第１の導電板２１２ｂからなる。これらの９本の第１の導電線２１２ａ同士と、９枚の第１の導電板２１２ｂ同士とは、筐体１５０の側部１６２ａ又は１６２ｂで、図示しない電線によって、互いに電気的に接続されている。
【０１９７】
図８に示した破線は、９本の第１の導電線２１２ａの全体の形状を特徴付ける第１の面２１４ａと、９枚の第１の導電板２１２ｂの全体の形状を特徴付ける第１の面２１４ｂであり、これは、仮想的な面であり、実体的な面でない。上述したように、９本の第１の導電線２１２ａは、９本の第１の導電体１１２ａと同様の構成であるので、９本の第１の導電線２１２ａの全体の形状を特徴付ける第１の面２１４ａも、９本の第１の導電体１１２ａの第１の面１１４ａと同様になるので、ここでは説明を省略する。第１の面２１４ｂについては、後で説明する。
【０１９８】
図８では、９本の第１の導電線２１２ａと、９枚の第１の導電板２１２ｂの断面が描かれている。第１の導電板２１２ｂの断面の形状は、略長方形であり、第１の導電板２１２ｂは、水平方向（図８の紙面に対して垂直な方向）にまっすぐに延びる長尺な薄板状の導電板である。
【０１９９】
図８に示した第１の導電板２１２ｂの断面は、第１の導電板２１２ｂの幅（水平方向）と厚さ（垂直方向）を示す。図８に示すように、第１の導電板２１２ｂの幅方向が水平方向になるように配置することで、植物保護装置１０へ流入する空気の流れを妨げないようにすることができる。
【０２００】
これらの９本の第１の導電線２１２ａの各々は、水平方向（図８の紙面に対して垂直な方向）に配置されている。９本の第１の導電線２１２ａの各々は、互いに離隔し、隣り合うものの間隔が所定の長さとなるように、かつ、互いに略平行になるように配置されている。同様に、９枚の第１の導電板２１２ｂの各々も、水平方向（図８の紙面に対して垂直な方向）に配置されている。９枚の第１の導電板２１２ｂの各々も、互いに離隔し、隣り合うものの間隔が所定の長さとなるように、かつ、互いに略平行になるように配置されている。上述したように、９本の第１の導電線２１２ａの各々と、９枚の第１の導電板２１２ｂの各々とを、互いに離隔するように配置することで、植物保護装置１０に空気を十分に供給することができるとともに、９本の第１の導電線２１２ａの各々と、９枚の第１の導電板２１２ｂの各々とによって生ずる影を小さくできるので、植物保護装置１０に照射される光を遮らないようにすることもできる。
【０２０１】
なお、９本の第１の導電線２１２ａの各々の形状、及び９枚の第１の導電板２１２ｂの各々の形状は、まっすぐに延びた形状である場合には限られず、一定の形状を保つことができるものであればよく、例えば、一定の曲線に沿った湾曲した形状を有するものでもよい。
【０２０２】
第１の導体２１０を構成する９本の第１の導電線２１２ａは、垂直方向（図８の紙面の上下方向）に沿って配置されている。すなわち、９本の第１の導電線２１２ａは、第１の面２１４ａに沿うように配置されている。同様に、第１の導電板２１２ｂを構成する９枚の第１の導電板２１２ｂは、垂直方向（図８の紙面の上下方向）に沿って配置されている。すなわち、９枚の第１の導電板２１２ｂは、第１の面２１４ａと略平行な第１の面２１４ｂに沿うように配置されている。
【０２０３】
上述した第１の面２１４ｂを特定する手法は、以下の手順で行えばよい。
【０２０４】
まず、９枚の第１の導電板２１２ｂの各々の形状を、１本の線の形状によって特定する。これは、１枚の第１の導電板２１２ｂの長手方向に垂直な面における第１の導電板２１２ｂの中心を定め、この中心を第１の導電板２１２ｂの長手方向に沿って結ぶことによって、１枚の第１の導電板２１２ｂについて、１本の線を定めることができる。このようにして、９枚の第１の導電板２１２ｂの各々を特徴付ける線を、１本ずつ決定できる。なお、本実施の形態では、９枚の第１の導電板２１２ｂの各々は、上述したように、まっすぐに延びた薄板状の形状を有するので、９枚の第１の導電板２１２ｂの各々を特徴付ける線は、直線となる。
【０２０５】
次いで、９枚の第１の導電板２１２ｂの各々の形状を特徴付けるための線がおおよそ含まれるような１つの面を特定することによって、第１の面２１４ｂを定めることができる。なお、この第１の面２１４ｂの特定は、これらの線の全てが常に含まれるような厳密な面を想定する必要はなく、おおよそ含まれる１つの面を第１の面２１４ｂとすればよい。なお、本実施の形態では、９枚の第１の導電板２１２ｂの各々の形状を特徴付けるための線は、上述したように、直線であるので、第１の面２１４ｂの形状は、１つの平面となる。
【０２０６】
なお、図８に示した例では、９本の第１の導電線２１２ａの全体の形状を特徴付ける第１の面２１４ａは、平面であり、９枚の第１の導電板２１２ｂの全体を特徴づける第１の面２１４ｂは、平面である場合を示したが、面２１４ａや２１４ｂは、平面である場合に限られず、曲面でもよい。９本の第１の導電線２１２ａや９枚の第１の導電板２１２ｂは、一定の面に沿うように配置されていればよい。
【０２０７】
＜第２の導体２２０＞
図８に示した飛動生物除去装置４００の第２の導体２２０は、９枚の第２の導電板２２２からなる。図８に示した破線は、９枚の第２の導電板２２２の全体の形状を特徴付ける第２の面２２４であり、これは、仮想的な面であり、実体的な面でない。なお、この第２の面２２４については、後で説明する。これらの９枚の第２の導電板２２２同士は、図示しない電線によって、互いに電気的に接続されている。
【０２０８】
図８では、第２の導電板２２２の断面が描かれている。第２の導電板２２２の断面の形状は、略長方形であり、第２の導電板２２２は、水平方向（図８の紙面に対して垂直な方向）にまっすぐに延びる長尺な薄板状の導電板である。
【０２０９】
図８に示した第２の導電板２２２の断面は、第２の導電板２２２の幅（水平方向）と厚さ（垂直方向）を示す。図８に示すように、第２の導電板２２２の幅方向が水平方向になるように配置することで、植物保護装置１０へ流入する空気の流れを妨げないようにすることができる。
【０２１０】
図８では、これらの９枚の第２の導電板２２２の各々は、水平方向（図８の紙面に対して垂直な方向）に配置されている。９枚の第２の導電板２２２の各々は、互いに離隔し、隣り合うものの間隔が所定の長さになるように、かつ、互いに略平行になるように配置されている。上述したように、９枚の第２の導電板２２２の各々を、互いに離隔するように配置することで、植物保護装置１０に空気を十分に供給することができるとともに、９枚の第２の導電板２２２の各々によって生ずる影を小さくできるので、植物保護装置１０に照射される光を遮らないようにすることもできる。
【０２１１】
なお、９枚の第２の導電板２２２の各々の形状は、まっすぐに延びた形状である場合には限られず、一定の形状を保つことができるものであればよく、例えば、一定の曲線に沿った湾曲した形状を有するものでもよい。
【０２１２】
第２の導体２２０を構成する９枚の第２の導電板２２２は、垂直方向（図８の紙面の上下方向）に沿って配置されている。すなわち、９枚の第２の導電板２２２は、上述した第１の面２１４ａ又は２１４ｂと略平行な第２の面２２４に沿うように配置されている。
【０２１３】
第２の面２２４は、第１の面２１４ａや２１４ｂと同様の手法によって特定することができる。第２の面２２４は、上述した第１の面２１４ａや２１４ｂと平行であり、第１の面２１４ａや２１４ｂから所定の距離だけ離隔した位置にある。なお、９枚の第２の導電板２２２は、第２の面２２４に沿うように概略配置されていればよく、第２の面２２４内に含まれるように配置される必要はない。すなわち、９枚の第２の導電板２２２は、その全体が、第２の面２２４を構成しているように視認できる程度に配置されていればよい。
【０２１４】
なお、図８に示した例では、９枚の第２の導電板２２２の全体の形状を特徴付ける第２の面２２４は、平面である場合を示したが、第２の面２２４は、平面である場合に限られず、曲面でもよい。９枚の第２の導電板２２２は、一定の面に沿うように配置されていればよい。
【０２１５】
上述した飛動生物除去装置１００と同様に、第１の導体２１０ａ及び２１０ｂと第２の導体２２０とは、電源１３０に電気的に接続されている。このようにすることで、第１の導体２１０ａ及び２１０ｂは、第１の電位になり、第２の導体２２０は、第１の電位より高い第２の電位となる。特に、第１の導体２１０ａ及び２１０ｂは、接地され、電位がゼロとなるものが好ましい。
【０２１６】
また、上述した第１の面２１４ａと第２の面２２４との距離や、第１の面２１４ｂと第２の面２２４との距離である「一の距離」も、飛動生物除去装置１００と同様に、飛動可能な生物に対して的確に放電を起こさせることができる距離であればよく、０．１〜３ｃｍが好ましく、０．３〜２ｃｍがより好ましく、０．５〜１ｃｍが更に好ましい。
【０２１７】
また、第１の導体２１０ａ及び２１０ｂと第２の導体２２０との間には、空気以外の誘電体がないことが好ましい。第１の導体２１０と第２の導体２２０との配置は、これらを水平方向に交互に配置したり、単一の第１の導体２１０と単一の第２の導体２２０とのみを配置したりしてもよい。
【０２１８】
上述したように誘電体１４０は、飛動生物除去装置１００のものと同様のものであり、構成や機能は同様であり、また、誘電体１４０を構成する８枚の誘電板１４２の配置についても同様である。
【０２１９】
このようにしたことで、強さが位置によって異なる電界（不平等電界、不均一場）を、８枚の誘電板１４２の誘電分極によって生じさせることができる。このような電界を生じさせることによって、飛動可能な生物が帯電している場合には、飛動可能な生物にクーロン力を及ぼすことができ、飛動可能な生物が電気的に中性である場合には、飛動可能な生物に静電誘導を生じさせてグレーディエント力を及ぼすことができる。このような電界を生じさせることで、クーロン力やグレーディエント力を飛動可能な生物に及ぼして、飛動可能な生物を移動させにくくすることができる。このようにすることで、８枚の誘電板１４２の誘電分極によって生ずる電界によって、飛動可能な生物を的確に捕捉することができる。
【０２２０】
また、８枚の誘電板１４２の各々を凸曲面を有する形状としたことで、図８の曲線からなる矢印に示すように、飛動生物除去装置を介して空気を植物に供給するときに、凸曲面によって、その空気の流れを曲げたり、空気を回転させたり、うずを生じさせたりすることができる。空気の流れを曲げたり、空気の流れに回転成分を与えたりすることによって、上述した９本の第１の導電線２１２ａ及び９枚の第１の導電板２１２ｂと、９枚の第２の導電板２２２によって生じた電界や、８枚の誘電板１４２の誘電分極によって生じた電界が有効に存在する領域に飛動可能な生物を存在させる機会を増やすことができ、的確に飛動可能な生物を捕捉したり除去したりすることができる。また、９本の第１の導電線２１２ａ及び９枚の第１の導電板２１２ｂと、９枚の第２の導電板２２２や、８枚の誘電板１４２を大きくすることなく、電界が有効に存在する領域に飛動可能な生物を存在させる機会を増やすことができるので、装置を薄くしたり、小型化したりすることができる。
【０２２１】
また、図８に示すように、上述した第１の導電板２１２ｂと、第２の導電板２２２とは、垂直方向（図８の紙面の上下方向）に沿って交互に配置されている。また、これらの導電板は、水平に配置されている。このため、第１の導電板２１２ｂと、第２の導電板２２２とは、平行に配置されるが、全てが向かい合うわけではなく、部分的にのみ向かい合う。このように配置することで、９枚の第１の導電板２１２ｂと９枚の第２の導電板２２２とによって、不平等電界や不均一場を生じさせやすくすることができる。このようにすることで、クーロン力やグレーディエント力を飛動可能な生物に及ぼして、飛動可能な生物を移動させにくくすることができ、放電を生じさせる機会を増やすことができ、飛動可能な生物を的確に除去することができる。
【０２２２】
なお、上述した飛動生物除去装置４００では、第１の導体を、９本の第１の導電線２１２ａと９枚の第１の導電板２１２ｂとの２組にしたが、いずれかの一組でもよい。除去する飛動生物の種類や、保護する植物の種類等に応じて加減すればよい。また、第２の導体を、９枚の第２の導電板２２２の１組のみとしたが、これも、除去する飛動生物の種類や、保護する植物の種類等に応じて、２組以上にしてもよい。さらに、飛動生物除去装置４００では、誘電体を８枚の誘電板１４２の１組のみにしたが、これも、除去する飛動生物の種類や、保護する植物の種類等に応じて、２組以上にしてもよい。
【０２２３】
＜＜他の態様の導電線及び誘電体＞＞
図９（ａ）及び（ｂ）は、他の態様の導電線及び誘電体を示す断面図である。これらは、導電線と誘電体とが一体に形成されたものである。
【０２２４】
図９（ａ）は、誘電被覆導体５００を示す断面図である。図９（ａ）に示すように、誘電被覆導体５００は、導電線３１２と誘電体３４０とからなる。
【０２２５】
図９（ａ）に示す導電線３１２は、上述した第１の導電体１１２ａ又は１１２ｂと同様のもので、略直線状の形状を有し、水平方向（図９の紙面に対して垂直な方向）にまっすぐに延びる長尺な導電線である。この導電線３１２の周囲には、円筒状に形成された誘電体３４０が配置されている。誘電体３４０は、水平方向にまっすぐに延びる長尺な円筒形状を有する。導電線３１２の長手方向の長さと、誘電体３４０の長手方向の長さとが、略同じになるように形成されている。特に、誘電体３４０は、網目状の誘電性を有する誘電シートを円筒状に形成したものが好ましい。このように、網目状のシートを用いることで、空気の流通を妨げることなく、植物保護装置１０に十分な量の空気を供給することができる。このようにすることで、誘電体３４０によって導電線３１２の全体を覆うことができ、線状の誘電被覆導体５００となる。
【０２２６】
なお、図９（ａ）に示した断面図では、導電線３１２と誘電体３４０との間に間隙を有する場合を示したが、密着するようにしてもよい。また、間隙を有するように構成するときには、誘電性を有する材料からなる支持部材を、導電線３１２と誘電体３４０との間に配置することで、誘電体３４０を導電線３１２の周囲に支持することができる。
【０２２７】
また、誘電被覆導体５００の誘電体３４０の表面に、図５ａに示した複数の溝２４４を形成したり、図５ｂに示した複数の凹み３４４を形成してもよい。このようにすることで、空気の流れを曲げたり、空気を回転させたり、うずを生じさせたりすることができるので、電界が有効に存在する領域に飛動可能な生物を存在させる機会を増やすことができる。また、このようにすることで、電界の強度が位置によって異なる電界を生じさせることができ、クーロン力やグレーディエント力を飛動可能な生物に及ぼして、飛動可能な生物を移動させにくくして、捕捉しやすくすることができる。
【０２２８】
図９（ｂ）は、誘電被覆導体５５０を示す断面図である。図９（ｂ）に示すように、誘電被覆導体５５０は、導電線４１２と誘電体４４０とからなる。
【０２２９】
図９（ｂ）に示す導電線４１２は、上述した第１の導電体１１２ａ又は１１２ｂと同様のもので、略直線状の形状を有し、水平方向（図９の紙面に対して垂直な方向）にまっすぐに延びる長尺な導電線である。誘電体４４０は、円筒を長手方向に沿って略半分に切断した半円筒形状を有する。導電線４１２の周囲の略半分に、半円筒形状に形成された誘電体４４０を密着するように配置する。このようにすることで、誘電体４４０によて導電線４１２の一部を覆うことができ、線状の誘電被覆導体５５０となる。
【０２３０】
この図９（ｂ）に示した誘電被覆導体５５０も、誘電体４４０の表面に、図５ａに示した複数の溝２４４を形成したり、図５ｂに示した複数の凹み３４４を形成してもよい。このようにすることで、空気の流れを曲げたり、空気を回転させたり、うずを生じさせたりすることができるので、電界が有効に存在する領域に飛動可能な生物を存在させる機会を増やすことができる。また、このようにすることで、電界の強度が位置によって異なる電界を生じさせることができ、クーロン力やグレーディエント力を飛動可能な生物に及ぼして、飛動可能な生物を移動させにくくして、捕捉しやすくすることができる。
【０２３１】
上述した図９（ａ）及び（ｂ）のように、導電線と誘電体とを一体に形成することで、導電線を筐体１５０に取り付けるだけで、誘電体も取り付けることとなり、飛動生物除去装置の取り扱いを容易にすることができる。
【０２３２】
＜飛動生物除去装置６００＞
図１０は、図９（ａ）に示した誘電被覆導体５００を用いた飛動生物除去装置６００の概略を示す断面図である。なお、この図１０は、図３の飛動生物除去装置１００と同様に、上述した正面壁３２ａの開口３４ａに、飛動生物除去装置６００が取り付けられたものを１つの例として示した。図１０に示すように、飛動生物除去装置６００は、正面壁３２ａの外側の面に、開口３４ａを覆うように取り付けられている。飛動生物除去装置６００が植物保護装置１０（図示せず）に取り付けられたときには、飛動生物除去装置６００の背面１６８ｂは、植物保護装置１０の開口３４ａと整合する。図１０では、図面の左方向が、植物保護装置１０の外側であり、図面の右方向が、植物保護装置１０の内側であり、植物配置区域２０（図示せず）が存在する。図１０に示した矢印は、植物保護装置１０の外側から内部に向かって、飛動生物除去装置６００を介して流入する空気の流れを示す。
【０２３３】
飛動生物除去装置６００は、誘電被覆導体５１０と、第２の導体１２０と、電源１３０とを含む。誘電被覆導体５１０と、第２の導体１２０とは、これらの端部が筐体１５０によって支持されている。これらの第２の導体１２０と、電源１３０とは、飛動生物除去装置１００のものと同様の構成であり、同様の機能を有するので説明を省略する。
【０２３４】
＜誘電被覆導体５１０＞
図１０に示した飛動生物除去装置６００の誘電被覆導体５１０は、外側のもの（図面の左側のもの）と内側のもの（図面の右側のもの）との２組がある。以下では、外側のものを誘電被覆導体５１０ａと称し、内側のものを誘電被覆導体５１０ｂと称する。誘電被覆導体５１０ａは、９本の誘電被覆導電線５１２ａからなる。誘電被覆導体５１０ｂは、９本の誘電被覆導電線５１２ｂからなる。図１０に示した破線は、９本の誘電被覆導電線５１２ａの全体の形状を特徴付ける第４の面５１４ａと、９本の誘電被覆導電線５１２ｂの全体の形状を特徴付ける第４の面５１４ｂであり、これは、仮想的な面であり、実体的な面でない。なお、この第４の面５１４ａ及び５１４ｂについては、上述した第１の面や第２の面や第３の面と同様に特定すればよい。これらの９本の誘電被覆導電線５１２ａの導電線（図９（ａ）の符号３１２に対応）同士と、９本の誘電被覆導電線５１２ｂの導電線（図９（ａ）の符号３１２に対応）同士とは、筐体１５０の側部１６２ａ又は１６２ｂで、図示しない電線によって、互いに電気的に接続されている。
【０２３５】
図１０では、９本の誘電被覆導電線５１２ａと５１２ｂとの断面が描かれている。９本の誘電被覆導電線５１２ａの各々と、９本の誘電被覆導電線５１２ｂの各々とは、略直線状の形状を有し、水平方向（図１０の紙面に対して垂直な方向）にまっすぐに延びる長尺な形状を有する。
【０２３６】
これらの９本の誘電被覆導電線５１２ａの各々は、水平方向（図１０の紙面に対して垂直な方向）に配置されている。９本の誘電被覆導電線５１２ａの各々は、互いに離隔し、隣り合うものの間隔が所定の長さとなるように、かつ、互いに略平行になるように配置されている。同様に、９本の誘電被覆導電線５１２ｂの各々も、水平方向（図１０の紙面に対して垂直な方向）に配置されている。９本の誘電被覆導電線５１２ｂの各々も、互いに離隔し、隣り合うものの間隔が所定の長さとなるように、かつ、互いに略平行になるように配置されている。上述したように、９本の誘電被覆導電線５１２ａ及び５１２ｂの各々を、互いに離隔するように配置することで、植物保護装置１０に空気を十分に供給することができるとともに、９本の誘電被覆導電線５１２ａ及び５１２ｂによって生ずる影を小さくできるので、植物保護装置１０に照射される光を遮らないようにすることもできる。
【０２３７】
なお、９本の誘電被覆導電線５１２ａの各々の形状、及び９本の誘電被覆導電線５１２ｂの各々の形状は、直線状である場合には限られず、一定の形状を保つことができるものであればよく、例えば、一定の曲線に沿った湾曲した形状を有するものでもよい。
【０２３８】
９本の誘電被覆導電線５１２ａは、垂直方向（図１０の紙面上の上下方向）に沿って配置されている。すなわち、９本の誘電被覆導電線５１２ａは、第４の面５１４ａに沿うように配置されている。また、９本の誘電被覆導電線５１２ｂも、垂直方向（図１０の紙面上の上下方向）に沿って配置されている。すなわち、９本の誘電被覆導電線５１２ａは、第４の面５１４ｂに沿うように配置されている。
【０２３９】
このように導電線と誘電体とを一体に形成した誘電被覆導体５１０を用いることで、飛動生物除去装置を組み立て易くしたり、取り扱いを容易にすることができる。また、導電線は誘電体によって覆われているので、導電線に電源が供給されている場合であっても安全に取り扱うことができる。
【０２４０】
＜飛動生物除去装置７００＞
図１１は、図９（ｂ）に示した誘電被覆導体５５０を用いた飛動生物除去装置７００の概略を示す断面図である。なお、この図１１は、図３の飛動生物除去装置１００と同様に、上述した正面壁３２ａの開口３４ａに、飛動生物除去装置７００が取り付けられたものを１つの例として示した。図１０に示すように、飛動生物除去装置７００は、正面壁３２ａの外側の面に、開口３４ａを覆うように取り付けられている。飛動生物除去装置７００が植物保護装置１０（図示せず）に取り付けられたときには、飛動生物除去装置７００の背面１６８ｂは、植物保護装置１０の開口３４ａと整合する。図１１では、図面の左方向が、植物保護装置１０の外側であり、図面の右方向が、植物保護装置１０の内側であり、植物配置区域２０（図示せず）が存在する。図１０に示した矢印は、植物保護装置１０の外側から内部に向かって、飛動生物除去装置７００を介して流入する空気の流れを示す。
飛動生物除去装置７００は、誘電被覆導体５６０と、第２の導体１２０と、電源１３０とを含む。誘電被覆導体５６０と、第２の導体１２０とは、これらの端部が筐体１５０によって支持されている。これらの第２の導体１２０と、電源１３０とは、飛動生物除去装置１００のものと同様の構成であり、同様の機能を有するので説明を省略する。
【０２４１】
＜誘電被覆導体５６０＞
図１１に示した飛動生物除去装置７００の誘電被覆導体５６０は、外側のもの（図面の左側のもの）と内側のもの（図面の右側のもの）との２組がある。以下では、外側のものを誘電被覆導体５６０ａと称し、内側のものを誘電被覆導体５６０ｂと称する。誘電被覆導体５６０ａは、９本の誘電被覆導電線５６２ａからなる。誘電被覆導体５６０ｂは、９本の誘電被覆導電線５６２ｂからなる。図１１に示した破線は、９本の誘電被覆導電線５６２ａの全体の形状を特徴付ける第４の面５６４ａと、９本の誘電被覆導電線５６２ｂの全体の形状を特徴付ける第４の面５６４ｂであり、これは、仮想的な面であり、実体的な面でない。なお、この第４の面５６４ａ及び５６４ｂについては、上述した第１の面や第２の面や第３の面と同様に特定すればよい。これらの９本の誘電被覆導電線５６２ａの導電線（図９（ｂ）の符号４１２に対応）同士と、９本の誘電被覆導電線５６２ｂの導電線（図９（ｂ）の符号４１２に対応）同士とは、筐体１５０の側部１６２ａ又は１６２ｂで、図示しない電線によって、互いに電気的に接続されている。
【０２４２】
図１１では、９本の誘電被覆導電線５６２ａと５６２ｂとの断面が描かれている。９本の誘電被覆導電線５６２ａの各々と、９本の誘電被覆導電線５６２ｂの各々とは、略直線状の形状を有し、水平方向（図１１の紙面に対して垂直な方向）にまっすぐに延びる長尺な形状を有する。
【０２４３】
これらの９本の誘電被覆導電線５６２ａの各々は、水平方向（図１１の紙面に対して垂直な方向）に配置されている。９本の誘電被覆導電線５６２ａの各々は、互いに離隔し、隣り合うものの間隔が所定の長さとなるように、かつ、互いに略平行になるように配置されている。同様に、９本の誘電被覆導電線５６２ｂの各々も、水平方向（図１１の紙面に対して垂直な方向）に配置されている。９本の誘電被覆導電線５６２ｂの各々も、互いに離隔し、隣り合うものの間隔が所定の長さとなるように、かつ、互いに略平行になるように配置されている。上述したように、９本の誘電被覆導電線５６２ａ及び５６２ｂの各々を、互いに離隔するように配置することで、植物保護装置１０に空気を十分に供給することができるとともに、９本の誘電被覆導電線５６２ａ及び５６２ｂによって生ずる影を小さくできるので、植物保護装置１０に照射される光を遮らないようにすることもできる。
【０２４４】
なお、９本の誘電被覆導電線５６２ａの各々の形状、及び９本の誘電被覆導電線５６２ｂの各々の形状は、直線状である場合には限られず、一定の形状を保つことができるものであればよく、例えば、一定の曲線に沿った湾曲した形状を有するものでもよい。
【０２４５】
９本の誘電被覆導電線５６２ａは、垂直方向（図１１の紙面上の上下方向）に沿って配置されている。すなわち、９本の誘電被覆導電線５６２ａは、第４の面５６４ａに沿うように配置されている。また、９本の誘電被覆導電線５６２ｂも、垂直方向（図１１の紙面上の上下方向）に沿って配置されている。すなわち、９本の誘電被覆導電線５６２ａは、第４の面５６４ｂに沿うように配置されている。
【０２４６】
また、上述したように、誘電被覆導体５６０は、半円筒形状の誘電体４４０を有する。この誘電体４４０が、筐体１５０の筐体開口に向くように配置されている。具体的には、９本の誘電被覆導電線５６２ａの誘電体４４０は、筐体１５０の正面１６８ａ（筐体開口）に向くように配置され、９本の誘電被覆導電線５６２ｂの誘電体４４０は、筐体１５０の背面１６８ｂ（筐体開口）に向くように配置されている。このようにすることで、導電線が、筐体開口側に配置されないので、導電線に電源が供給されている場合であっても安全に取り扱うことができる。
【０２４７】
このように導電線と誘電体とを一体に形成した誘電被覆導体５６０を用いることで、飛動生物除去装置を組み立て易くしたり、取り扱いを容易にすることができる。
【０２４８】
また、上述した飛動生物除去装置６００は、９本の誘電被覆導電線５１２ａ及び５１２ｂと、９本の導電線１２２と、を有する。また、飛動生物除去装置７００は、９本の誘電被覆導電線５６２ａ及び５６２ｂと、９本の導電線１２２と、を有する。このように全てを誘電被覆導電線にするのではなく、少なくとも１組については、導電線、すなわち裸線にするのが好ましい。このようにすることで、筐体１５０の正面１６８ａから背面１６８ｂに向かって、まず、９本の誘電被覆導電線５１２ａや５６２ａの誘電分極による電界で飛動生物を捕捉しようとする。これで捕捉できなかったときには、９本の導電線１２２による電界で飛動生物に対して放電を生じさせることができる。さらに、この放電で飛動生物を除去できなかった場合でも、９本の誘電被覆導電線５１２ｂや５６２ｂの誘電分極による電界で飛動生物を捕捉することができる。このように構成したことで、的確に飛動生物を除去したり補足したりすることができる。
【０２４９】
＜飛動生物除去装置８００＞
図１２は、導電体や誘電体や誘電体被覆導体を網目状に形成した飛動生物除去装置８００の正面図を示す。
【０２５０】
図１２の左右に筐体１５０の２つの側部１６２ａと１６２ｂが位置し、上側に天部１６４が位置し、下側に底部１６６が位置する。また、図１２の紙面の手前側に筐体１５０の正面１６８ａが位置する。
【０２５１】
上述した飛動生物除去装置１００に対応した態様では、９本の第１の導電体１１２ａ、９本の第１の導電体１１２ｂ、９本の第２の導電体１２２、又は８枚の誘電板１４２のうちの少なくとも１つを網目状のものに置き換えることができる。
【０２５２】
また、飛動生物除去装置２００又はに対応した態様では、９本の第１の導電体１１２ａ、９本の第１の導電体１１２ｂ、又は９本の第２の導電体１２２のうちの少なくとも１つを網目状のものに置き換えることができる。
【０２５３】
さらに、飛動生物除去装置４００に対応した態様では、９本の第１の導電体１１２ａ、又は８枚の誘電板１４２のうちの少なくとも１つを網目状のものに置き換えることができる。
【０２５４】
さらにまた、飛動生物除去装置６００に対応した態様では、９本の誘電被覆導電線５１２ａ、９本の誘電被覆導電線５１２ｂ、又は９本の第２の導電体１２２のうちの少なくとも１つを網目状のものに置き換えることができる。
【０２５５】
また、飛動生物除去装置７００に対応した態様では、９本の誘電被覆導電線５６２ａ、９本の誘電被覆導電線５６２ｂ、又は９本の第２の導電体１２２のうちの少なくとも１つを網目状のものに置き換えることができる。
【０２５６】
このように、導電体や誘電体や誘電被覆導体を網目状にすることで、空気の流れを乱したり、うずを生じさせたりすることができる。空気の流れを乱したりすることによって、導電体や誘電体や誘電被覆導体によって生じた電界が有効に存在する領域に飛動可能な生物を存在させる機会を増やすことができ、的確に飛動可能な生物を捕捉したり除去したりすることができる。
【０２５７】
また、筐体１５０の正面１６８ａの最も近い位置に、網目状の誘電体や誘電被覆導体を配置することで、飛動生物除去装置１００、２００、３００、４００、６００又は７００のカバーとしての機能も有し、飛動生物よりも大きい物体、例えば、植物の葉やゴミなどの移動を誘電性網体によって阻止することができ、物体が導電体と接触しないように排除することができる。
【０２５８】
さらに、この網目状のものを用いた場合にも、図１２に示したように、誘電体が、筐体１５０の筐体開口に向くように配置されている。具体的には、網目状の誘電被覆導電線の誘電体が、筐体１５０の正面１６８ａや背面１６８ｂ（筐体開口）に向くように配置されている。このようにすることで、網目上の誘電被覆導電線の導電線が、筐体開口側には配置されないので、導電線に電源が供給されている場合であっても安全に取り扱うことができる。
【０２５９】
本発明の植物病虫害の発生を防止する装置において、飛動可能な生物である植物病原菌の胞子等及び／又は小害虫（以下、病害虫と称する。）に、静電界による力を与えることができればどのような手段を用いても、本発明において使用することができる。
【０２６０】
上述した飛動生物除去装置１００，２００，３００，４００，６００，７００又は８００は、水が直接当たらない位置に設置することが好ましい。飛動生物除去装置１００，２００，３００，４００，６００，７００又は８００の内部に水が入った場合には、導電体から所望する電界を生じさせることができなくなることがあるためである。
【０２６１】
本発明における胞子等とは、農園芸用植物に風媒伝染により病気を感染させるもので、外生胞子（分生子）、胞子嚢（内生胞子を含む）、硬膜胞子等が含まれる。
【０２６２】
本発明の飛動生物除去装置及び植物保護装置において、対象となるものは、うどんこ病（トマト、ナス、ピーマン、ムギ類、キュウリ、メロン、スイカ、豆類、ブドウ、イチゴ、バラ等）、菌核病（トマト、ナス、キュウリ、スイカ、ダイコン、ハクサイ、キャベツなど）、および灰色カビ病（トマト、ナス、ピーマン、キュウリ、カボチャ、イチゴ、エンドウ、インゲン、タマネギ、ネギ等）、葉かび病（トマト等）、さび病（ネギ、タマネギ、ニラ、アスパラガス、レタス等）、トリコデルマ菌（シイタケ）等が例示できる。
【０２６３】
本発明における小害虫とは、体長１０ｍｍ程度以下の害虫で、農園芸用植物に食害もしくはウイルス病の伝播を起こすもので、有翅の小型昆虫が例示できる。
【０２６４】
本発明の飛動生物除去装置及び植物保護装置において、対象となるものは、施設栽培において発生する有翅の小害虫全般であり、例えばアブラムシ類、アザミウマ類、ハモグリバエ類、ハモグリガ類、コナジラミ類、コナガ等が例示できる。また、有翅の小害虫に寄生して農園芸用作物に発生する小害虫（ダニ類など）も例示できる。
【０２６５】
＜実施例＞
次に実施例および比較例により本発明をさらに具体的に説明するが、これに限定されるものではない。
【実施例１】
【０２６６】
図１に示した植物保護装置１０としてアクリル樹脂板で覆われたもの（横８０ｃｍ、高さ５０ｃｍ、奥行き５０ｃｍ）を作成し、トマトうどんこ病の防除効果を調べた。
【０２６７】
図１の植物保護装置１０の正面壁３２ａと背面壁３２ｂとの双方に、図３に示した飛動生物除去装置１００を設置した。本実施例１では、誘電板１４２としてアクリル樹脂製のものを用い、その形状をシリンダーの半筒（半径５ｍｍ）とした。図３と同様に、複数の誘電板１４２を垂直方向に、互いに略平行となるように配置し、植物保護装置１０の内側に、第１の導体１１０を構成する複数本の第１の導電体１１２ａの各々と、複数本の第１の導電体１１２ｂの各々と、第２の導体１２０を構成する複数本の第２の導電体１２２の各々とを、互いに略平行となるように配置した。これらの導電体間の距離が１．５ｃｍとなるようにした。第１の導体１１０を構成する複数本の第１の導電体１１２ａの各々と、複数本の第１の導電体１１２ｂの各々とは接地した。第２の導体１２０を構成する複数本の第２の導電体１２２の各々は、直流低電流高電圧発生装置のマイナス極に接続した。複数の誘電板１４２が、植物保護装置１０の最も外側となるように設置して、内部に健全なトマト苗（品種：Micro-Tom，レジナおよびプリッツトマト）を静置した。２０ｋＶの電圧を印加して４週間生育させた結果、植物保護装置１０外のトマト苗にはうどんこ病の発生が認められたが、植物保護装置１０内のトマトにはいずれの発生も認められなかった。
【実施例２】
【０２６８】
実施例１と同じ植物保護装置１０を用いて、温室内でキュウリうどんこ病およびマメハモグリバエの防除効果を調べた。キュウリうどんこ病が発病したキュウリ苗、ハモグリバエが繁殖したインゲン苗を置いた温室内で、同じ植物保護装置１０内に健全なキュウリ苗（品種：シャープ１）を静置し、２０ｋＶの電圧を印加して１８日間生育させた。その結果、植物保護装置１０外部のキュウリ苗と比較して、明らかな防除効果が認められた。
【０２６９】
【表１】
0004771310.tif 000002
【実施例３】
【０２７０】
図１の植物保護装置１０と同じ大きさで、正面壁３２ａと背面壁３２ｂとだけではなく、右側面壁３２ｃと左側面壁３２ｄとにも、図３に示した飛動生物除去装置１００を設置し、椎茸のキノコバエ防除効果を調べた。すなわち、植物保護装置１０の４つの面に実施例１と同様に飛動生物除去装置１００を設置し、植物保護装置１０の内部に健全な椎茸の菌床を静置した。植物保護装置１０の外部にキノコバエに感染した菌床を置き、全体をアクリル製のケースで覆った。１０ｋＶの電圧を印加して１００日生育させた結果、植物保護装置１０内の菌床へのキノコバエの移動は認められなかった。
【産業上の利用可能性】
【０２７１】
本発明の飛動生物除去装置及び植物保護装置は、空気中から効率よく植物病原菌の胞子等および／または小害虫を除去することができることから、殺菌剤および／または殺虫剤散布の代替法として植物病虫害の発生を防止することができる。
【図面の簡単な説明】
【０２７２】
【図１】本発明に係る植物保護装置１０の概略を示す斜視図である。
【図２】飛動生物除去装置１００の概略を示す斜視図である。
【図３】飛動生物除去装置１００の概略を示す断面図である。
【図４】誘電板１４２の概略を示す斜視図である。
【図５】誘電板２４２、３４２及び４４２の概略を示す斜視図である。
【図６】飛動生物除去装置２００の概略を示す断面図である。
【図７】飛動生物除去装置３００の概略を示す断面図である。
【図８】飛動生物除去装置４００の概略を示す断面図である。
【図９】他の態様の導電線及び誘電体を示す断面図である。
【図１０】飛動生物除去装置６００の概略を示す断面図である。
【図１１】飛動生物除去装置７００の概略を示す断面図である。
【図１２】飛動生物除去装置８００の概略を示す正面図である。
【符号の説明】
【０２７３】
１０  植物保護装置
２０  植物配置区域
３０  囲繞部
３２ａ  正面壁
３２ｂ  背面壁
３２ｃ  右側面壁
３２ｄ  左側面壁
３２ｅ  上面
３２ｆ  下面
３４ａ，３４ｂ  開口
１００，２００，３００，４００，６００，７００，８００  飛動生物除去装置
１１０，１１０ａ，１１０ｂ  第１の導体
２１０，２１０ａ，２１０ｂ  第１の導体
１１２ａ，１１２ｂ  第１の導電体
２１２ａ  第１の導電線
２１２ｂ  第１の導電板  １２０，２２０  第２の導体
１２２  第２の導電体
２２２  第２の導電板
１３０  直流電源
１４０，３４０，５４０  誘電体
１４２，２４２，３４２，５４２  誘電板
１１４ａ，１１４ｂ，２１４ａ，２１４ｂ  第１の面
１２４，２２４  第２の面
１４４，５４４  第３の面
５１０ａ，５１０ｂ，５６０ａ、５６０ｂ  誘電被覆導体
【図１】
0004771310.tif 000003
【図２】
0004771310.tif 000004
【図３】
0004771310.tif 000005
【図４】
0004771310.tif 000006
【図５】
0004771310.tif 000007
【図６】
0004771310.tif 000008
【図７】
0004771310.tif 000009
【図８】
0004771310.tif 000010
【図９】
0004771310.tif 000011
【図１０】
0004771310.tif 000012
【図１１】
0004771310.tif 000013
【図１２】
0004771310.tif 000014